(57)【要約】  本発明は、放送を記録して再生する記録再生装置を備え、ノイズを抑制した高品質の放送を再生することを可能にする受信装置を提供することを目的とする。  受信中の放送を記録再生装置５に記録する際、受信状態検出部３が、チューナ部２内で生成される検波信号に混入しているノイズ成分やＳメータ信号に混入しているノイズ成分やＳメータ信号の直流成分に基づいて受信状態を示す受信状態検出信号Ｓnzを生成し、書込部４が受信状態検出信号Ｓnzとチューナ部２から出力される放送の再生信号Ｓauとを同期させて、記録信号Ｓwとして記録再生装置５に記録させる。そして、記録再生装置５に記録した記録信号Ｓwに基づいて記録済みの放送を再生する際、記録再生装置５から出力される記録信号Ｓw（読取信号Ｓr）を読取部６が受信状態検出信号Ｓnzrと再生信号Ｓaurに分離し、ノイズ低減部８が、内蔵している可変ローパスフィルタに再生信号Ｓaurを通過させるに際して、受信状態検出信号Ｓnzrに基づいて高域カットオフ周波数を変化させ、再生信号Ｓaurに混入しているノイズ成分を除去することにより、ノイズを抑制した高品質の出力用再生信号Ｓoを出力する。【特許請求の範囲】
【請求項１】
受信した放送を記録し再生する記録再生手段を有する受信装置であって、
放送波を受信して再生信号を生成する受信手段と、
前記受信手段内で生成される内部信号に基づいて受信状態を示す受信状態検出信号を生成する受信状態検出手段と、
前記受信状態検出信号と再生信号とを対応付けて記録信号として記録する記録再生手段と、
前記記録再生手段に記録された前記記録信号が供給され、前記記録信号に含まれ前記再生信号に混入しているノイズ成分を前記受信状態検出信号に基づいて除去するノイズ低減手段と、
を具備することを特徴とする受信装置。
【請求項２】
前記受信状態検出手段は、前記受信手段内で生成される検波信号に混入しているノイズ成分に基づいて前記受信状態検出信号を生成することを特徴とする請求項１に記載の受信装置。
【請求項３】
前記受信状態検出手段は、前記受信手段内で生成されるＳメータ信号に混入しているノイズ成分に基づいて前記受信状態検出信号を生成することを特徴とする請求項１に記載の受信装置。
【請求項４】
前記受信状態検出手段は、前記受信手段内で生成されるＳメータ信号の直流成分に基づいて前記受信状態検出信号を生成することを特徴とする請求項１に記載の受信装置。
【請求項５】
前記ノイズ低減手段は、前記記録再生手段に記録された前記記録信号が供給されると、前記受信状態検出信号に基づいて高域カットオフ周波数を可変調整し、前記記録信号に含まれ前記再生信号に混入しているノイズ成分を除去する可変ローパスフィルタを有することを特徴とする請求項１〜４の何れか１項に記載の受信装置。
【請求項６】
受信した放送を記録し再生する記録再生手段を有する受信装置の記録再生方法であって、
放送波を受信して再生信号を生成する受信工程と、
前記受信工程において生成される内部信号に基づいて受信状態を示す受信状態検出信号を生成する受信状態検出工程と、
前記受信状態検出信号と再生信号とを対応付けて記録信号として、前記記録再生手段に記録させる書込工程と、
前記記録再生手段に記録された前記記録信号を出力する読取工程と、
前記読取工程で出力される前記記録信号に含まれ前記再生信号に混入しているノイズ成分を前記受信状態検出信号に基づいて除去するノイズ低減工程と、
を具備することを特徴とする受信装置の記録再生方法。
【発明の詳細な説明】
【技術分野】
【０００１】
本発明は、放送波を受信する受信装置に関し、特に、放送を記録して再生する記録再生装置を備えた受信装置に関する。
【背景技術】
【０００２】
従来、記録再生装置を備えた受信装置として、特開２００１−２５０３６８号公報に開示されたものが知られている。【０００３】
この受信装置は、同公報の図１に示されているように、ラジオ放送を受信してオーディオ信号を出力するチューナ(1)と、そのオーディオ信号を所定のエンコードデータに変換し、ハードディスク等の記憶装置(6)に記録させるＡＤ変換器(3)及びエンコーダ(5)と、記憶装置(6)から読み出されたエンコードデータをデコード等することにより元のオーディオ信号に変換するデコーダ(7)及びＤＡ変換器(9)と、変換した元のオーディオ信号を増幅してスピーカ(11)に供給するオーディオアンプ(10)を有している。【０００４】
そして、利用者が受信チャンネルを指定して、記憶装置(6)への記録指定を行うと、所望のラジオ放送のオーディオ信号を記憶装置(6)に記録させ、後で再生させてそのラジオ放送を受聴することが可能となっている。【０００５】
更に、この受信装置には、同公報の図７に示されているように、電波強度を検出する電波強度検出装置(41)が設けられており、受信強度が弱い場合に、他の受信チャンネルに切り換えて受信することにより、電波状態の良いオーディオ信号を記憶装置(6)に記録させるようになっている。【０００６】
【特許文献１】特開２００１−２５０３６８号公報
【発明の開示】
【発明が解決しようとする課題】
【０００７】
ところで、上記公報に開示された従来の受信装置は、電波状態の良いオーディオ信号を受信すべく、受信チャンネルを切り換える電波強度検出装置(41)が設けられているが、基本的に、チューナ(1)で受信したオーディオ信号をそのままエンコードデータに変換して記憶装置(6)に記録し、後で記憶装置(6)からエンコードデータを読み出してそのまま元のオーディオ信号に変換して再生する構成となっている。【０００８】
このため、一般には、利用者が電波状態の良い受信チャンネルだけを指定するとは限らないことから、ノイズを含んだオーディオ信号が記憶装置(6)に記録され、利用者が後でオーディオ信号を再生するとノイズも再生されてしまい、結果的にノイズを含んだ耳障りなラジオ放送を受聴することになってしまうという問題がある。【０００９】
例えば、自動車等の移動体に搭載される受信装置にあっては、不可避的に、マルチパスフェージングや隣接妨害等の影響を受けた放送波を受信することとなるため、オーディオ信号にノイズが混入することとなり、該オーディオ信号を記憶装置(6)に記録して再生すると、耳障りなノイズも再生されてしまうという問題を招来する。【００１０】
本発明は、このような従来の課題に鑑みてなされたものであり、放送を記録して再生する記録再生手段を備え、ノイズを抑制した高品質の放送を再生することを可能にする受信装置を提供することを目的とする。
【課題を解決するための手段】
【００１１】
請求項１に記載の発明は、受信した放送を記録し再生する記録再生手段を有する受信装置であって、放送波を受信して再生信号を生成する受信手段と、前記受信手段内で生成される内部信号に基づいて受信状態を示す受信状態検出信号を生成する受信状態検出手段と、前記受信状態検出信号と再生信号とを対応付けて記録信号として記録する記録再生手段と、前記記録再生手段に記録された前記記録信号が供給され、前記記録信号に含まれて前記再生信号に混入しているノイズ成分を前記受信状態検出信号に基づいて除去するノイズ低減手段と、を具備することを特徴とする。【００１２】
請求項６に記載の発明は、受信した放送を記録し再生する記録再生手段を有する受信装置の記録再生方法であって、放送波を受信して再生信号を生成する受信工程と、前記受信工程において生成される内部信号に基づいて受信状態を示す受信状態検出信号を生成する受信状態検出工程と、前記受信状態検出信号と再生信号とを対応付けて記録信号として、前記記録再生手段に記録させる書込工程と、前記記録再生手段に記録された前記記録信号を出力する読取工程と、前記読取工程で出力される前記記録信号に含まれ前記再生信号に混入しているノイズ成分を前記受信状態検出信号に基づいて除去するノイズ低減工程と、を具備することを特徴とする。
【図面の簡単な説明】
【００１３】
【図１】本発明の実施形態に係る受信装置の構成を表したブロック図である。
【図２】実施例に係る受信装置の構成を表したブロック図である。
【図３】図２に示した受信装置の機能及び動作を説明するための図である。
【図４】更に他の実施例に係る受信装置の構成を表したブロック図である。
【図５】更に他の実施例に係る受信装置の構成を表したブロック図である。
【図６】図５に示した受信装置の機能及び動作を説明するための図である。
【発明を実施するための最良の形態】
【００１４】
本発明の実施形態に係る受信装置について図１を参照して説明する。図１は、本実施形態の受信装置の構成を表したブロック図である。【００１５】
図１において、この受信装置１は、放送波を受信するアンテナＡＮＴが接続された受信手段としてのチューナ部２と、受信状態検出部３と、書込部４、記録再生装置５、読取部６、ノイズ低減部７、制御部８とを有して構成されている。【００１６】
制御部８は、操作部（図示略）を介して入力される利用者からの指示に従って、本受信装置１の動作を制御する。【００１７】
チューナ部２は、制御部８の制御下で、利用者によって選局された放送局の放送波を同調受信し、検波等を行うことによって、いわゆる検波出力或いは復調出力としての再生信号Ｓauを出力する。【００１８】
すなわち、チューナ部２は、ラジオ放送を受信するラジオ放送受信用のチューナであれば、検波等によって生成した可聴周波数帯域のオーディオ信号を再生信号Ｓauとして出力し、更に、２チャンネルのステレオ放送や、２チャンネル以上のマルチチャンネル放送を受信すると、各々のチャンネルにチャンネル分離した再生信号Ｓauを出力する。【００１９】
また、チューナ部２が、テレビジョン放送等の映像と音声の情報を有する放送を受信するチューナであれば、検波等によって生成した可聴周波数帯域のオーディオ信号を再生信号Ｓauとして出力し、更に、２チャンネルのステレオ放送や、２チャンネル以上のマルチチャンネル放送を受信すると、各々のチャンネルにチャンネル分離した再生信号Ｓauを出力する。【００２０】
受信状態検出部３は、チューナ部２が受信中に生成する中間周波数信号（ＩＦ信号）等の内部信号に基づいて受信状態を検出し、検出した受信状態を示す受信状態検出信号Ｓnzを出力する。【００２１】
例えば、受信状態検出部３は、チューナ部２に設けられている検波器から出力される検波信号に混入しているノイズ成分のレベル変化に基づいて受信状態を検出したり、また、チューナ部２に設けられている中間周波増幅器から出力される電界強度を示すＳメータ信号に混入しているノイズ成分のレベル変化に基づいて受信状態を検出したり、また、Ｓメータの直流成分のレベル変化に基づいて受信感度を検出し、その検出した受信感度に基づいて受信状態を検出する。【００２２】
そして、検波信号やＳメータに混入しているノイズ成分のレベルが大きい場合ほど受信状態が良好ではなく、また、それらのノイズ成分のレベルが小さい場合ほど受信状態が良好であることを示す受信状態検出信号Ｓnzを出力する。【００２３】
また、受信感度に基づいて受信状態を検出する構成とした場合には、Ｓメータの直流成分のレベルが大きい場合ほど受信状態が良好、そのレベルが小さい場合ほど受信状態が良好ではないことを示す受信状態検出信号Ｓnzを出力する。【００２４】
書込部４は、制御部８から書き込み制御信号ＷＲＩＴＥが供給されると、再生信号Ｓauと受信状態検出信号Ｓnzとを時間的に対応付けて記録信号Ｓwを生成し、記録再生装置５に記録させる。【００２５】
すなわち、書込部４は、再生信号Ｓauと受信状態検出信号Ｓnzとを受信時間に同期させることによって、再生信号Ｓauと受信状態検出信号Ｓnzとの時間的ズレが生じさせないように調整し、該同期調整を行った再生信号Ｓauと受信状態検出信号Ｓnzとを記録信号Ｓwとして記録再生装置５に記録させる。【００２６】
更に、書込部４は、記録信号Ｓwの先頭に識別信号を付加すると共に、制御部８から記録終了を示す制御信号が供給されると、記録信号Ｓwの終端に、記録信号Ｓwの終了位置であることを示すエンド信号を付加して出力する。【００２７】
そして、制御部８が、これらの識別信号とエンド信号の付加された各時間（以下「付加時間」という）を管理することにより、記録信号Ｓwの範囲を識別できるようになっている。また、制御部８が操作部（図示略）に設けられている液晶ディスプレイ等に、付加時間の情報を表示させることで、記録再生装置５に記録されている放送を利用者に提示するようになっている。【００２８】
記録再生装置５は、制御部８から書き込み制御信号ＷＲＩＴＥが供給されると、書込部４から供給される記録信号Ｓwを記録する。【００２９】
また、記録再生装置５は、制御部８から読み取り制御信号ＲＥＡＤが供給されると、既に記録されている記録信号Ｓwを読取信号Ｓrとして出力する。【００３０】
ここで、制御部８が、既に記録されている記録信号Ｓw（以下、既に記録されている「記録信号Ｓw」を「読取信号Ｓr」という）に付加されている識別信号を指定して、読み取り制御信号ＲＥＡＤを出力すると、記録再生装置５は、指定された識別信号が付加された読取信号Ｓrを出力する。【００３１】
また、記録再生装置５は、制御部８から書き込み制御信号ＷＲＩＴＥと読み取り制御信号ＲＥＡＤが供給されると、書込部４から供給される記録信号Ｓwを記録しながら、読取信号Ｓrを出力する。【００３２】
ここで、制御部８が、既に記録されている読取信号Ｓrに付加されている識別信号を指定して、書き込み制御信号ＷＲＩＴＥと読み取り制御信号ＲＥＡＤを出力すると、記録再生装置５は、受信中に書込部４から供給される記録信号Ｓwを記録しながら、識別信号で指定された読取信号Ｓrを出力する。したがって、利用者は、受信中の放送を記録再生装置５に記録しながら、以前に記録しておいた別の放送の読取信号Ｓrを出力させることが可能となっている。【００３３】
また、制御部８が、識別信号を指定することなく、書き込み制御信号ＷＲＩＴＥと読み取り制御信号ＲＥＡＤを出力すると、記録再生装置５は、受信中に書込部４から供給される記録信号Ｓwを記録しながら、その記録信号Ｓwをいわゆる同時読み取りし、読取信号Ｓrとして出力する。したがって、利用者は、受信中の放送を記録再生装置５に記録しながら、同時にその放送の読取信号Ｓrを出力させことが可能となっている。【００３４】
読取部６は、読み取り制御信号ＲＥＡＤの指示に従って、記録再生装置５から供給される読取信号Ｓrを入力し、読取信号Ｓrに含まれている再生信号Ｓauと受信状態検出信号Ｓnzとを時間軸上で同期させて分離し、分離した再生信号Ｓau（以下、分離後の再生信号Ｓauを符号Ｓaurで表す）と、分離した受信状態検出信号Ｓnz（以下、分離後の受信状態検出信号Ｓnzを符号Ｓnzrで表す）をノイズ低減部７に供給する。【００３５】
ノイズ低減部７は、受信状態検出信号Ｓnzrの変化に同期して再生信号Ｓaurに混入しているノイズ成分を除去することによって、ノイズを低減（抑制）した出力用再生信号Ｓoを生成し、スピーカ等に供給する。【００３６】
ここで、ノイズ低減部７は、可聴周波数帯域の上限に高域カットオフ周波数ｆuを有し、受信状態検出信号Ｓnzrの変化に応じて、その高域カットオフ周波数ｆuを低周波数側へ変化させる、可変ローパスフィルタによって形成されている。【００３７】
すなわち、ノイズ低減部７は、最良の受信状態を示す受信状態検出信号Ｓnzrが供給される場合に、ディフォルト値として決められた高域カットオフ周波数ｆuを設定し、それより受信状態が良好でないことを示す受信状態検出信号Ｓnzrが供給されると、受信状態検出信号Ｓnzrに応じて高域カットオフ周波数ｆuを低周波数側へ変化させることにより、再生信号Ｓaurに混入しているノイズ成分を除去する。【００３８】
次に、かかる構成を有する受信装置１の動作を説明する。なお、利用者による本受信装置１の使用形態に対応させて動作を説明することとする。
＜記録動作＞
利用者が制御部８に対して受信開始の指示をすると、制御部８による制御下でチューナ部２が受信動作を開始し、更に利用者が所望の放送局を指定すると、制御部８が、指定された放送局に相当する同調周波数（局部発振周波数）をチューナ部２に指令することで、チューナ部２が指定された放送局の放送波を同調受信する。【００３９】
こうしてチューナ部２が受信動作を行っている際、利用者が記録再生装置５に放送を記録すべき旨の指示をすると、制御部８から書込部４と記録再生装置５に書き込み制御信号ＷＲＩＴＥが供給され、書込部４と記録再生装置５が記録動作を開始する。【００４０】
そして、チューナ部２が同調及び検波等を行って再生信号Ｓauを出力し、受信状態検出部３が受信状態検出信号Ｓnzを出力し、更に、書込部４が再生信号Ｓauと受信状態検出信号Ｓnzとを同期させた記録信号Ｓwを生成して、記録再生装置５に記録させていく。【００４１】
そして、利用者が記録終了の指示をすると、制御部８から記録終了を示す制御信号が出力されるとともに、書き込み制御信号ＷＲＩＴＥが出力されなくなり、書込部４と記録再生装置５が記録動作を終了する。【００４２】
このように、利用者が受信中に＜記録動作＞の指示をすると、記録再生装置５が、その受信中の放送を、再生信号Ｓauと受信状態検出信号Ｓnzとから成る記録信号Ｓwとして記録する。
＜再生動作＞
利用者が記録再生装置５に記録されている所望の放送を再生させるべく、制御部８に対して、付加時間を指定して再生開始の指示をすると、制御部８から記録再生装置５と読取部６に、指定された付加時間と、読み取り制御信号ＲＥＡＤが供給され、記録再生装置５と読取部６が再生動作を開始する。【００４３】
そして、記録再生装置５が、付加時間によって指定される読取信号Ｓrを出力するとともに、読取部６が読取信号Ｓrを再生信号Ｓaurと受信状態検出信号Ｓnzrに同期分離して出力し、更に、ノイズ低減部７が、受信状態検出信号Ｓnzrの変化に応じて、再生信号Ｓaurに混入しているノイズ成分を除去し、ノイズを抑制した出力用再生信号Ｓoを出力して、スピーカ等に供給する。【００４４】
そして、記録再生装置５が利用者から指定された放送に関する読取信号Ｓrを出力し終えると、制御部８から記録終了を示す制御信号が出力されるとともに、書き込み制御信号ＷＲＩＴＥが出力されなくなり、書込部４と記録再生装置５が記録動作を終了する。【００４５】
また、記録再生装置５が読取信号Ｓrを出力中に、利用者が再生終了の指示をした場合にも、制御部８から記録終了を示す制御信号が出力されるとともに、書き込み制御信号ＷＲＩＴＥが出力されなくなり、書込部４と記録再生装置５が記録動作を終了する。【００４６】
このように、利用者が、＜再生動作＞の指示をすると、記録再生装置５が既に記録されている読取信号Ｓrを出力することで、以前に記録しておいた放送を再生することが可能となっている。【００４７】
更に、受信状態検出信号Ｓnzrと再生信号Ｓaurとから成る読取信号Ｓrを記録再生装置５が出力して、ノイズ低減部７が受信状態検出信号Ｓnzrに基づいてと再生信号Ｓaur中のノイズ成分を除去するので、ノイズを抑制した高品位の音をスピーカ等で再生し、利用者に提供することができる。
＜記録再生同時動作＞
次に、チューナ部２が受信動作を行っている際、利用者が制御部８に対して、記録再生装置５に放送の記録と再生を行わせるべく指示すると、制御部８の制御下で、記録と再生を同時に行う記録再生同時動作が開始される。【００４８】
ここで、利用者が記録再生装置５に記録されている所望の放送を再生させるべく、付加時間を指定して記録再生同時動作を指示すると、制御部８は、書き込み制御信号ＷＲＩＴＥを書込部４と記録再生装置５に供給するとともに、付加時間と読み取り制御信号ＲＥＡＤを記録再生装置５と読取部６に供給する。【００４９】
これにより、書込部４が受信中の放送を記録信号Ｓwとして記録再生装置５に記録させながら、記録再生装置５が、付加時間によって指定された既に記録されている読取信号Ｓrを読取部６を介して出力し、更に、ノイズ低減部７が、ノイズを抑制した出力用再生信号Ｓoを生成して出力する。【００５０】
したがって、利用者が付加時間を指定して記録再生同時動作を指示すると、以前に記録しておいた放送を再生して受聴しながら、現在受信中の放送を新規に記録することが可能となっている。【００５１】
更に、ノイズ低減部７が受信状態検出信号Ｓnzrに基づいてと再生信号Ｓaur中のノイズ成分を除去するので、ノイズを抑制した高品位の音をスピーカ等で再生し、利用者に提供することが可能となっている。【００５２】
一方、利用者が付加時間を指定することなく、記録再生同時動作を指示すると、制御部８は、書き込み制御信号ＷＲＩＴＥを書込部４と記録再生装置５に供給するとともに、読み取り制御信号ＲＥＡＤを記録再生装置５と読取部６に供給する。すなわち、制御部８から記録再生装置５に、付加時間が供給されない。【００５３】
これにより、書込部４が受信中の放送を記録信号Ｓwとして記録再生装置５に記録させながら、記録再生装置５が、その記録信号Ｓwをいわゆる同時読み取りすることにより読取信号Ｓrとして、読取部６を介して出力し、更に、ノイズ低減部７が、ノイズを抑制した出力用再生信号Ｓoを生成して出力する。【００５４】
したがって、利用者は、付加時間を指定することなく、記録再生同時動作を指示すると、受信中の放送を記録再生装置５に記録しながら、同時にその放送の読取信号Ｓrを出力させことが可能となっている。更に、ノイズ低減部７が受信状態検出信号Ｓnzrに基づいてと再生信号Ｓaur中のノイズ成分を除去するので、ノイズを抑制した高品位の音をスピーカ等で再生し、利用者に提供することができる。【００５５】
以上説明したように、本実施形態の受信装置１によれば、受信中の放送を記録再生装置５に記録する際、受信状態を示す受信状態検出信号Ｓnzと再生信号Ｓauとから成る記録信号Ｓwとして記録しておき、記録再生装置５に記録されている放送を再生する際、読取信号Ｓrに含まれている受信状態検出信号Ｓnzrを利用して、再生信号Ｓaurに混入しているノイズ成分を除去するので、利用者に対し、ノイズを抑制した高品質の放送を提供することができる。【００５６】
また、利用者が必ずしも電波状態の良い放送局を指定せずにその放送を記録した場合であっても、読取信号Ｓrに含まれている受信状態検出信号Ｓnzrを利用して、再生信号Ｓaurに混入しているノイズ成分を除去するので、利用者の一般的な利用形態に合わて、高品質の放送を再生することが可能である。【００５７】
また、本実施形態の受信装置１を自動車等の移動体に搭載し、不可避的に、マルチパスフェージングや隣接妨害等の影響を受ける環境下で放送波を受信して記録再生装置５に記録する場合でも、再生時に、読取信号Ｓrに含まれている受信状態検出信号Ｓnzrを利用して、再生信号Ｓaurに混入しているノイズ成分を除去するので、高品質の放送を利用者に提供することが可能である。
【実施例１】
【００５８】
次に、図１に示した実施形態に係るより具体的な実施例について、図２及び図３を参照して説明する。【００５９】
図２は、本実施例の受信装置１の構成を表したブロック図であり、図１と同一又は相当する部分を同一符号で示している。図３は、受信装置１の動作を説明するための図である。【００６０】
図２において、この受信装置１は、放送波を受信するアンテナＡＮＴが接続された受信手段としてのチューナ部２と、受信状態検出部３と、書込部４、記録再生装置５、読取部６、ノイズ低減部７、制御部８、ノイズ低減部７から出力される出力再生用信号Ｓoを電力増幅等してスピーカ（図示略）に供給する出力回路９、及び利用者が入力操作等を行うための操作部１０を有して構成されている。【００６１】
ここで、制御部８は、演算制御機能を有するマイクロプロセッサ（ＭＰＵ）等を備えた回路で形成されており、操作部１０を介して入力される利用者からの指示に従って、受信装置１の動作を集中制御する。【００６２】
チューナ部２は、放送波を受信する受信アンテナＡＮＴから出力される高周波信号（ＲＦ信号）を増幅するＲＦ増幅器２ａと、制御部８によって指令される周波数設定信号Ｆsetに従って同調周波数信号（局発信号）ＯＳＣを出力するＰＬＬ部２ｆと、ＲＦ増幅器２ａの出力と局発信号ＯＳＣと混合することで中間周波数信号を生成して出力するフロントエンド２ｂ、中間周波数信号を増幅して出力する中間周波増幅器２ｃ、中間周波増幅器２ｃの出力を検波して検波信号Ｓdetを出力する検波器２ｄ、検波信号を各チャンネルのオーディオ信号にチャンネル分離し、各チャンネルのオーディオ信号の束として再生信号Ｓauを出力する分離回路２ｅを有して構成されている。【００６３】
そして、検波信号Ｓdetが受信状態検出部３、再生信号Ｓauが書込部４に供給されている。【００６４】
受信状態検出部３は、検波信号Ｓdetを入力するハイパスフィルタ３ａと、ハイパスフィルタ３ａの出力を電圧増幅する増幅回路３ｂと、増幅回路３ｂの出力から受信状態検出信号Ｓnzを生成する整流回路３ｃによって構成されている。【００６５】
ここで、ハイパスフィルタ３ａは、良好な受信状態のときに検波器２ｄから出力される検波信号Ｓdetの周波数帯域の上限に合わせられた低域カットオフ周波数ｆdを有しており、検波信号Ｓdetに混入している低域カットオフ周波数ｆdより高周波数のノイズ成分を抽出して出力し、増幅回路３ｄで増幅させて、整流回路３ｃに供給する。【００６６】
整流回路３ｄは、ノイズ成分の絶対値を整流（平滑化）することにより、振幅の変化を受信状態の変化として示す受信状態検出信号Ｓnzを生成して出力する。【００６７】
書込部４は、再生信号Ｓauと受信状態検出信号Ｓnzを各々デジタルデータにＡ／Ｄ変換して入力するＡ／Ｄ変換器（図示略）を有し、それらのデジタルデータを受信時間に同期させて時間的ズレが生じさせないように調整することにより、再生信号Ｓauと受信状態検出信号Ｓnzとのデジタルデータ列から成る記録信号Ｓwを記録再生装置５に供給する。また、書込部４は、前述した実施形態と同様に、デジタルデータから成る識別信号とエンド信号を記録信号Ｓwに付加して記録再生装置５に供給し、制御部８がこれらの識別信号とエンド信号の付加された各時間（付加時間）を管理することにより、記録信号Ｓwの範囲を識別できるようになっている。また、制御部８が操作部１０に設けられている液晶ディスプレイ等に、付加時間の情報を表示させることで、記録再生装置５に記録されている放送を利用者に提示する。【００６８】
記録再生装置５は、ハードディスクや、ＤＶＤ、ＣＤ、半導体メモリ等の再書き込みが可能なストレージ媒体に記録信号Ｓwを記録するとともに、その記録信号Ｓwを読取信号Ｓrとして出力する。【００６９】
読取部６は、記録再生装置５から出力されるデジタルデータから成る読取信号Ｓrを、各々デジタルデータから成る再生信号Ｓaurと受信状態検出信号Ｓnzrに同期分離し、図示していないＤ／Ａ変換器によってアナログの再生信号Ｓaurと受信状態検出信号Ｓnzrに変換して出力する。【００７０】
ノイズ低減部７は、再生信号Ｓaurを入力する可変ローパスフィルタ７ａと、受信状態検出信号Ｓnzrを入力する周波数制御部７ｂによって構成されている。【００７１】
ここで、可変ローパスフィルタ７ａは、可聴周波数帯域の上限に高域カットオフ周波数ｆuを有し、周波数制御部７ｂから供給される周波数調整制御信号ＣＮＴの指示に従って、その高域カットオフ周波数ｆuを変化させる。【００７２】
周波数制御部７ｂは、高域カットオフ周波数ｆuを変化させる周波数調整制御信号ＣＮＴを、受信状態検出信号Ｓnzrの振幅変化に応じて出力する。【００７３】
すなわち、周波数制御部７ｂには、図３（ａ）に例示するように、受信状態検出信号Ｓnzrの振幅と高域カットオフ周波数ｆuとが対応付けられた、いわゆるルックアップテーブル形式のデータを記憶したメモリが設けられており、受信状態検出信号Ｓnzrの振幅に基づいて該メモリのデータを検索することで、高域カットオフ周波数ｆuを決定する。【００７４】
そして、周波数制御部７ｂは、図３（ｂ）に例示するように、受信状態検出信号Ｓnzrの振幅が大きい場合ほど、受信状態が良好でないとして、可変ローパスフィルタ７ａの高域カットオフ周波数ｆuを低周波数側へ変化させるための周波数調整制御信号ＣＮＴを出力し、また、受信状態検出信号Ｓnzrの振幅が小さい場合ほど、受信状態が良好であるとして、可変ローパスフィルタ７ａの高域カットオフ周波数ｆuを高周波数側へ変化させるための周波数調整制御信号ＣＮＴを出力する。【００７５】
このように、可変ローパスフィルタ７ａの高域カットオフ周波数ｆuを可変調整することによって、再生信号Ｓaurに混入しているノイズ成分を除去して、ノイズを抑制した高品質の出力用再生信号Ｓoを出力する。【００７６】
次に、本実施例の受信装置１の動作を説明する。 
本実施例の受信装置１においても、実施形態の受信装置１（図１参照）と同様に、利用者が操作部１０を操作することにより、＜記録動作＞と＜再生動作＞と＜記録再生同時動作＞を適宜指定することができるようになっている。そこで、利用者の利用形態毎に動作を説明する。
＜記録動作＞
チューナ部２が受信動作を行っている際、利用者が＜記録動作＞を指定すると、制御部８から書込部４と記録再生装置５に書き込み制御信号ＷＲＩＴＥが供給され、書込部４と記録再生装置５が記録動作を開始する。そして、チューナ部２が同調及び検波等を行って再生信号Ｓauを出力し、受信状態検出部３が受信状態検出信号Ｓnzを出力し、更に、書込部４が再生信号Ｓauと受信状態検出信号Ｓnzとを同期させた記録信号Ｓwを生成して、記録再生装置５に記録させていく。【００７７】
ここで、受信状態検出３は、検波器２ｄから出力される検波信号Ｓdetをハイパスフィルタ３ａに通すことによって、受信状態に応じて検出信号Ｓdetに混入することとなったノイズ成分を抽出し、更に増幅回路３ｂで増幅されるノイズ成分の絶対値を整流回路３ｃが整流することにより、例えば図３（ｃ）に模式的に示すように、そのノイズ成分のエンベロープを示す受信状態検出信号Ｓnzを生成して出力する。【００７８】
したがって、書込部４は、分離回路２ｅから出力される、例えば図３（ｄ）に模式的に示すようなノイズ成分の混入した再生信号Ｓauと、受信状態検出信号Ｓnzとを受信時間に同期させて記録信号Ｓwを生成し、記録再生装置５に記録させる。【００７９】
そして、利用者が記録終了の指示をすると、制御部８から記録終了を示す制御信号が出力されるとともに、書き込み制御信号ＷＲＩＴＥが出力されなくなり、書込部４と記録再生装置５が記録動作を終了する。
＜再生動作＞
利用者が記録再生装置５に記録されている所望の放送を再生させるべく、付加時間を指定して再生開始の指示をすると、制御部８から記録再生装置５と読取部６に、指定された付加時間と、読み取り制御信号ＲＥＡＤが供給され、記録再生装置５と読取部６が再生動作を開始する。【００８０】
そして、記録再生装置５が、付加時間によって指定される読取信号Ｓrを出力するとともに、読取部６が読取信号Ｓrを再生信号Ｓaurと受信状態検出信号Ｓnzrに同期分離して出力し、更に、ノイズ低減部７の周波数制御部７ｂが受信状態検出信号Ｓnzrの変化に応じて可変ローパスフィルタ７ａの高域カットオフ周波数ｆuを制御することで、再生信号Ｓaurに混入しているノイズ成分を除去させ、ノイズを抑制した出力用再生信号Ｓoをスピーカ等に供給させる。【００８１】
すなわち、記録再生装置５から出力されて読取部６で同期分離された再生信号Ｓauと受信状態検出信号Ｓnzrが図３（ｃ）（ｄ）に例示したような波形である場合、周波数制御部７ｂが受信状態検出信号Ｓnzrの振幅変化に応じて、可変ローパスフィルタ７ａの高域カットオフ周波数ｆuを調整制御することで、例えば図３（ｅ）に例示するように、再生信号Ｓauに混入しているノイズ成分を除去した出力用再生信号Ｓoを出力させ、スピーカ等から高品質の音を出力させる。【００８２】
そして、記録再生装置５が利用者から指定された放送に関する読取信号Ｓrを出力し終えると、または、利用者が再生終了の指示をすると、制御部８から記録終了を示す制御信号が出力されるとともに、書き込み制御信号ＷＲＩＴＥが出力されなくなり、書込部４と記録再生装置５が記録動作を終了する。【００８３】
このように、利用者は、＜再生動作＞の指示をすると、記録再生装置５に記録しておいた読取信号Ｓrに基づいて、以前に記録しておいた放送を再生することができ、更に、再生に際してノイズ低減部７が、受信状態検出信号Ｓnzrに基づいて再生信号Ｓaur中のノイズ成分を除去するので、ノイズを抑制した高品位の音をスピーカ等で再生し、利用者に提供することができる。
＜記録再生同時動作＞
チューナ部２が受信動作を行っている際、利用者が記録と再生を行わせるべく指示すると、制御部８の制御下で、記録と再生を同時に行う記録再生同時動作が開始される。【００８４】
ここで、利用者が、記録再生装置５に既に記録されている放送を指定して再生させるべく、付加時間を指定して記録再生同時動作を指示した場合と、付加時間を指定することなく記録再生同時動作を指示した場合とで、次のように異なった記録再生動作が行われる。【００８５】
まず、利用者が付加時間を指定して記録再生同時動作を指示した場合には、制御部８が、書き込み制御信号ＷＲＩＴＥを書込部４と記録再生装置５に供給するとともに、付加時間と読み取り制御信号ＲＥＡＤを記録再生装置５と読取部６に供給する。【００８６】
これにより、書込部４が受信中の放送を記録信号Ｓwとして記録再生装置５に記録させながら、記録再生装置５が、付加時間によって指定された既に記録されている読取信号Ｓrを読取部６を介して出力し、更に、ノイズ低減部７の可変ローパスフィルタ７ａと周波数制御部７ｂが、再生信号Ｓaurに混入しているノイズ成分を受信状態検出信号Ｓaurの変化に応じて除去することにより、ノイズを抑制した出力用再生信号Ｓoをスピーカ等に供給させる。【００８７】
このように、利用者が付加時間を指定して記録再生同時動作を指示すると、以前に記録しておいた放送を再生して受聴しながら、現在受信中の放送を新規に記録することができ、更にノイズ低減部７が、受信状態検出信号Ｓnzrに基づいてと再生信号Ｓaur中のノイズ成分を除去するので、ノイズを抑制した高品位の音をスピーカ等で再生し、利用者に提供することが可能となっている。【００８８】
更に、現在受信中の放送を記録信号Ｓwとして記録再生装置５に記録していく際、受信状態検出部３が検波信号Ｓdetに混入しているノイズ成分を抽出して受信状態検出信号Ｓnzを生成し、更に、書込部４がその受信状態検出信号Ｓnzと再生信号Ｓauとを受信時間に同期させた記録信号Ｓwを生成して記録再生装置５に記録させるので、利用者が後でその記録した放送の記録信号Ｓwに基づいて再生を行う場合にも、ノイズ低減部７においてノイズを抑制した出力用再生信号Ｓoを生成させ、高品質の音をスピーカ等で再生して、利用者に提供することが可能となっている。【００８９】
次に、利用者が付加時間を指定することなく、記録再生同時動作を指示した場合を説明すると、利用者方の当該指定に従って、制御部８が、付加時間を出力することなく、書き込み制御信号ＷＲＩＴＥを書込部４と記録再生装置５に供給するとともに、読み取り制御信号ＲＥＡＤを記録再生装置５と読取部６に供給する。【００９０】
これにより、書込部４が受信中の放送を記録信号Ｓwとして記録再生装置５に記録させながら、記録再生装置５が、その記録信号Ｓwをいわゆる同時読み取りすることにより読取信号Ｓrとして、読取部６を介して出力し、更に、ノイズ低減部７が、ノイズを抑制した出力用再生信号Ｓoを生成して出力する。【００９１】
したがって、利用者は、付加時間を指定することなく記録再生同時動作を指示すると、受信中の放送を記録再生装置５に記録しながら、同時にその放送の読取信号Ｓrを出力させことができる。【００９２】
また、記録再生装置５が、受信中の放送を記録信号Ｓwとして記録する際、受信状態検出部３で生成される受信状態検出信号Ｓnzを含めて記録し、同時読み取りに際して、その記録した記録信号Ｓwを読取信号Ｓrとして出力するので、ノイズ低減部７が受信状態検出信号Ｓnzrに基づいて再生信号Ｓaur中のノイズ成分を除去することとなり、ノイズを抑制した高品位の音をスピーカ等で再生し、利用者に提供することができる。【００９３】
更に、現在受信中の放送を記録信号Ｓwとして記録再生装置５に記録した後、利用者が後でその記録した放送の記録信号Ｓwに基づいて再生を行う場合にも、ノイズ低減部７においてノイズを抑制した出力用再生信号Ｓoを生成させ、高品質の音をスピーカ等で再生して、利用者に提供することが可能となっている。【００９４】
以上説明したように、本実施例の受信装置１によれば、受信中の放送を記録再生装置５に記録する際、検波信号Ｓdetに含まれているノイズ成分に基づいて生成した受信状態を示す受信状態検出信号Ｓnzと、再生信号Ｓauとから成る記録信号Ｓwとして記録しておき、記録再生装置５に記録されている放送を再生する際、読取信号Ｓrに含まれている受信状態検出信号Ｓnzrを利用して、再生信号Ｓaurに混入しているノイズ成分を除去するので、利用者に対し、ノイズを抑制した高品質の放送を提供することができる。
【実施例２】
【００９５】
次に、更に他の実施例について図４を参照して説明する。 
図４は、本実施英の受信装置１の構成を表したブロック図であり、図１及び図２と同一又は相当する部分を同一符号で示している。【００９６】
この受信装置１の特徴を図２に示した受信装置１と対比して説明すると、図２に示した受信装置１では、受信状態検出部３が検波信号Ｓdetに混入しているノイズ成分に基づいて受信状態検出信号Ｓnzを生成するのに対し、図４に示す本実施例の受信装置１に設けられている受信状態検出部３は、中間周波増幅器２ｃから出力されるＳメータ信号Ｓmに混入しているノイズ成分をハイパスフィルタ３ａで抽出して増幅回路３ｂで増幅し、整流回路３ｃがその増幅されたノイズ成分の絶対値を整流することで、ノイズ成分のエンベーロープを示す受信状態検出信号Ｓnzを生成して出力する。【００９７】
ここで、本実施例の受信状態検出部３に設けられているハイパスフィルタ３ａは、良好な受信状態のときに中間周波増幅器２ｃから出力されるＳメータ信号Ｓmの周波数帯域の上限に合わせられた低域カットオフ周波数ｆdを有している。【００９８】
そして、本実施例の受信装置１に設けられている、残余のチューナ部２と書込部４と記録再生装置５、読取部６、ノイズ低減部７、制御部８、出力回路９及び操作部１０については、図２に示した受信装置１と同様の構成及び機能を有している。【００９９】
本実施例の受信装置１によれば、前述した実施例１の受信装置１と同様に、利用者が操作部１０を操作することにより、＜記録動作＞と＜再生動作＞と＜記録再生同時動作＞を適宜指定することができるようになっている。【０１００】
そして、利用者が＜記録動作＞を指定すると、チューナ部２が同調及び検波等を行って再生信号Ｓauを出力し、受信状態検出部３がＳメータ信号Ｓmに混入しているノイズ成分を抽出して受信状態検出信号Ｓnzを生成し、更に、書込部４が再生信号Ｓauと受信状態検出信号Ｓnzとを同期させた記録信号Ｓwを生成して、記録再生装置５に記録させていく。【０１０１】
また、利用者が、付加時間を指定して＜再生動作＞を指定すると、記録再生装置５が、付加時間によって指定される読取信号Ｓrを出力するとともに、読取部６が読取信号Ｓrを再生信号Ｓaurと受信状態検出信号Ｓnzrに同期分離して出力し、更に、ノイズ低減部７の周波数制御部７ｂが受信状態検出信号Ｓnzrの変化に応じて可変ローパスフィルタ７ａの高域カットオフ周波数ｆuを制御することで、再生信号Ｓaurに混入しているノイズ成分を除去させ、ノイズを抑制した出力用再生信号Ｓoをスピーカ等に供給させる。【０１０２】
また、利用者が、付加時間を指定して＜記録再生同時動作＞を指定すると、書込部４が受信中の放送を記録信号Ｓwとして記録再生装置５に記録させながら、記録再生装置５が付加時間によって指定された既に記録されている読取信号Ｓrを読取部６を介して出力し、更に、ノイズ低減部７の可変ローパスフィルタ７ａと周波数制御部７ｂが、再生信号Ｓaurに混入しているノイズ成分を受信状態検出信号Ｓaurの変化に応じて除去することにより、ノイズを抑制した出力用再生信号Ｓoをスピーカ等に供給させる。【０１０３】
また、利用者が、付加時間を指定することなく、＜記録再生同時動作＞を指定すると、書込部４が受信中の放送を記録信号Ｓwとして記録再生装置５に記録させながら、記録再生装置５が同時読み取りを行うことによって、読取信号Ｓrを読取部６を介して出力し、更に、ノイズ低減部７の可変ローパスフィルタ７ａと周波数制御部７ｂが、再生信号Ｓaurに混入しているノイズ成分を受信状態検出信号Ｓaurの変化に応じて除去することにより、ノイズを抑制した出力用再生信号Ｓoをスピーカ等に供給させる。【０１０４】
このように、本実施例の受信装置１によれば、受信中の放送を記録再生装置５に記録する際、Ｓメータ信号Ｓmに混入しているノイズ成分に基づいて生成した受信状態を示す受信状態検出信号Ｓnzと、再生信号Ｓauとから成る記録信号Ｓwとして記録しておき、記録再生装置５に記録されている放送を再生する際、読取信号Ｓrに含まれている受信状態検出信号Ｓnzrを利用して、再生信号Ｓaurに混入しているノイズ成分を除去するので、利用者に対し、ノイズを抑制した高品質の放送を提供することができる。
【実施例３】
【０１０５】
次に、更に他の実施例について図５及び図６を参照して説明する。 
図５は、本実施例の受信装置１の構成を表したブロック図であり、図１、図２及び図４と同一又は相当する部分を同一符号で示している。【０１０６】
この受信装置１の特徴を図４に示した受信装置１と対比して説明すると、図４に示した受信装置１では、受信状態検出部３がＳメータ信号Ｓmに混入しているノイズ成分に基づいて受信状態検出信号Ｓnzを生成するのに対し、図５に示す本実施例の受信装置１に設けられている受信状態検出部３は、Ｓメータ信号Ｓmの直流成分をローパスフィルタ３ｄで抽出して増幅回路３ｅで増幅することにより、受信状態検出信号Ｓnzを生成するようになっている。【０１０７】
ここで、本実施例の受信状態検出部３に設けられているローパスフィルタ３ｄは、良好な受信状態のときに中間周波増幅器２ｃから出力されるＳメータ信号Ｓmの周波数帯域の上限に合わせられた高域カットオフ周波数ｆcを有している。このため、受信状態が良好な場合、別言すれば受信感度が高い場合ほど、ローパスフィルタ３ｄからレベルの大きな信号が出力され、増幅回路３ｅからもレベルの大きな受信状態検出信号Ｓnzが出力され、一方、受信状態が良好でない場合、別言すれば受信感度が低い場合ほど、ローパスフィルタ３ｄからレベルの小さな信号が出力され、増幅回路３ｅからもレベルの小さな受信状態検出信号Ｓnzが出力される。【０１０８】
更に、図４に示した受信装置１では、ノイズ低減部７に設けられている周波数制御部７ｂが、読取部６から供給される受信状態検出信号Ｓnzrの振幅が大きい場合ほど受信状態が良好でないとして、図３（ａ）（ｂ）に例示したように、可変ローパスフィルタ７ａの高域カットオフ周波数ｆuを低周波数側へ変化させ、受信状態検出信号Ｓnzrの振幅が小さい場合ほど、受信状態が良好であるとして、可変ローパスフィルタ７ａの高域カットオフ周波数ｆuを高周波数側へ変化させるようになっている。【０１０９】
これに対し、図５に示す本実施例の周波数制御部７ｂは、図６（ａ）（ｂ）に模式的に示すように、読取部６から供給される受信状態検出信号Ｓnzrの振幅が大きい場合ほど受信状態が良好であるとして、可変ローパスフィルタ７ａの高域カットオフ周波数ｆuを高周波数側へ変化させ、受信状態検出信号Ｓnzrの振幅が小さい場合ほど、受信状態が良好でないとして、可変ローパスフィルタ７ａの高域カットオフ周波数ｆuを低周波数側へ変化させるようになっている。【０１１０】
そして、周波数制御部７ｂには、図５（ａ）に例示するように、受信状態検出信号Ｓnzrの振幅と高域カットオフ周波数ｆuとが対応付けられた、いわゆるルックアップテーブル形式のデータを記憶したメモリが設けられており、受信状態検出信号Ｓnzrの振幅に基づいて該メモリのデータを検索することで、高域カットオフ周波数ｆuを決定する。【０１１１】
なお、本実施例の受信装置１に設けられている、残余のチューナ部２と書込部４と記録再生装置５、読取部６、制御部８、ノイズ低減部７、出力回路９及び操作部１０については、図４に示した受信装置１と同様の構成及び機能を有している。【０１１２】
本実施例の受信装置１によれば、前述した実施例１及び実施例２の受信装置１と同様に、利用者が操作部１０を操作することにより、＜記録動作＞と＜再生動作＞と＜記録再生同時動作＞を適宜指定することができるようになっている。【０１１３】
そして、利用者が＜記録動作＞を指定すると、チューナ部２が同調及び検波等を行って再生信号Ｓauを出力し、受信状態検出部３がＳメータ信号Ｓmの直流成分を抽出して受信状態検出信号Ｓnzを生成し、更に、書込部４が再生信号Ｓauと受信状態検出信号Ｓnzとを同期させた記録信号Ｓwを生成して、記録再生装置５に記録させていく。【０１１４】
また、利用者が、付加時間を指定して＜再生動作＞を指定すると、記録再生装置５が、付加時間によって指定される読取信号Ｓrを出力するとともに、読取部６が読取信号Ｓrを再生信号Ｓaurと受信状態検出信号Ｓnzrに同期分離して出力し、更に、ノイズ低減部７の周波数制御部７ｂが受信状態検出信号Ｓnzrの変化に応じて可変ローパスフィルタ７ａの高域カットオフ周波数ｆuを制御することで、再生信号Ｓaurに混入しているノイズ成分を除去させ、ノイズを抑制した出力用再生信号Ｓoをスピーカ等に供給させる。【０１１５】
また、利用者が、付加時間を指定して＜記録再生同時動作＞を指定すると、書込部４が受信中の放送を記録信号Ｓwとして記録再生装置５に記録させながら、記録再生装置５が付加時間によって指定された既に記録されている読取信号Ｓrを読取部６を介して出力し、更に、ノイズ低減部７の可変ローパスフィルタ７ａと周波数制御部７ｂが、再生信号Ｓaurに混入しているノイズ成分を受信状態検出信号Ｓaurの変化に応じて除去することにより、ノイズを抑制した出力用再生信号Ｓoをスピーカ等に供給させる。【０１１６】
また、利用者が、付加時間を指定することなく、＜記録再生同時動作＞を指定すると、書込部４が受信中の放送を記録信号Ｓwとして記録再生装置５に記録させながら、記録再生装置５が同時読み取りを行うことによって、読取信号Ｓrを読取部６を介して出力し、更に、ノイズ低減部７の可変ローパスフィルタ７ａと周波数制御部７ｂが、再生信号Ｓaurに混入しているノイズ成分を受信状態検出信号Ｓaurの変化に応じて除去することにより、ノイズを抑制した出力用再生信号Ｓoをスピーカ等に供給させる。【０１１７】
このように、本実施例の受信装置１によれば、受信中の放送を記録再生装置５に記録する際、Ｓメータ信号Ｓmの直流成分に基づいて生成した受信状態を示す受信状態検出信号Ｓnzと、再生信号Ｓauとから成る記録信号Ｓwとして記録しておき、記録再生装置５に記録されている放送を再生する際、読取信号Ｓrに含まれている受信状態検出信号Ｓnzrを利用して、再生信号Ｓaurに混入しているノイズ成分を除去するので、利用者に対し、ノイズを抑制した高品質の放送を提供することができる。【０１１８】
なお、以上に説明した実施形態及び実施例の受信装置１は、受信した放送波をアナログ信号処理することによって検波信号ＳdetとＳメータ信号Ｓm及び再生信号Ｓauを生成する構成としたものであるが、デジタル信号処理を行うデジタル回路で構成するようにしてもよい。また、実施形態及び実施例の受信装置１は、デジタル放送を受信する受信装置にも適用可能である。
【図１】
2005117276.tif 000002
【図２】
2005117276.tif 000003
【図３】
2005117276.tif 000004
【図４】
2005117276.tif 000005
【図５】
2005117276.tif 000006
【図６】
2005117276.tif 000007
【手続補正書】
【提出日】平成18年3月23日(2006.3.23)
【手続補正１】
【補正対象書類名】特許請求の範囲
【補正対象項目名】全文
【補正方法】変更
【補正の内容】
【書類名】請求の範囲
【請求項１】  受信した放送を記録した後、再生を可能にする記録再生手段、を有する受信装置であって、
放送波を受信して再生信号を生成する受信手段と、
前記受信手段内で生成される内部信号に基づいて受信状態を示す受信状態検出信号を生成する受信状態検出手段と、
前記受信状態検出信号と前記再生信号とを同期させ、両信号を記録信号として前記記録再生手段に記録させる書込手段と、
前記後の再生の際、前記記録再生手段に記録された前記記録信号を入力し、前記記録信号に含まれる前記受信状態検出信号と前記再生信号を同期させて分離する読取手段と、
前記読取手段で分離された再生信号に混入しているノイズ成分を、前記読取手段で分離された受信状態検出信号に基づいて同期して除去するノイズ低減手段と、
を具備することを特徴とする受信装置。
【請求項２】  前記受信状態検出手段は、前記受信手段内で生成される検波信号に混入しているノイズ成分に基づいて前記受信状態検出信号を生成することを特徴とする請求項１に記載の受信装置。
【請求項３】  前記受信状態検出手段は、前記受信手段内で生成されるＳメータ信号に混入しているノイズ成分に基づいて前記受信状態検出信号を生成することを特徴とする請求項１に記載の受信装置。
【請求項４】  前記受信状態検出手段は、前記受信手段内で生成されるＳメータ信号の直流成分に基づいて前記受信状態検出信号を生成することを特徴とする請求項１に記載の受信装置。
【請求項５】  前記ノイズ低減手段は、前記記録再生手段に記録された前記記録信号が供給されると、前記受信状態検出信号に基づいて高域カットオフ周波数を可変調整し、前記記録信号に含まれ前記再生信号に混入しているノイズ成分を除去する可変ローパスフィルタを有することを特徴とする請求項１〜４の何れか１項に記載の受信装置。
【請求項６】  受信した放送を記録再生手段に記録した後、再生を可能にする受信方法であって、
放送波を受信して再生信号を生成する受信工程と、
前記受信工程において生成される内部信号に基づいて受信状態を示す受信状態検出信号を生成する受信状態検出工程と、
前記受信状態検出信号と前記再生信号とを同期させ、両信号を記録信号として前記記録再生手段に記録させる書込工程と、
前記後の再生の際、前記記録再生手段に記録された前記記録信号を入力し、前記記録信号に含まれる前記受信状態検出信号と前記再生信号を同期させて分離する読取工程と、
前記読取工程で分離された再生信号に混入しているノイズ成分を、前記読取工程で分離された受信状態検出信号に基づいて同期して除去するノイズ低減工程と、
を具備することを特徴とする受信方法。
【手続補正２】
【補正対象書類名】明細書
【補正対象項目名】０００２
【補正方法】変更
【補正の内容】
【０００２】
ータに変換して記憶装置（６）に記録し、後で記憶装置（６）からエンコードデータを読み出してそのまま元のオーディオ信号に変換して再生する構成となっている。
［０００８］
このため、一般には、利用者が電波状態の良い受信チャンネルだけを指定するとは限らないことから、ノイズを含んだオーディオ信号が記憶装置（６）に記録され、利用者が後でオーディオ信号を再生するとノイズも再生されてしまい、結果的にノイズを含んだ耳障りなラジオ放送を受聴することになってしまうという問題がある。
［０００９］
例えば、自動車等の移動体に搭載される受信装置にあっては、不可避的に、マルチパスフェージングや隣接妨害等の影響を受けた放送波を受信することとなるため、オーディオ信号にノイズが混入することとなり、該オーディオ信号を記憶装置（６）に記録して再生すると、耳障りなノイズも再生されてしまうという問題を招来する。
［００１０］
本発明は、このような従来の課題に鑑みてなされたものであり、放送を記録して再生する記録再生手段を備え、ノイズを抑制した高品質の放送を再生することを可能にする受信装置を提供することを目的とする。
【課題を解決するための手段】
［００１１］
請求項１に記載の発明は、受信した放送を記録した後、再生を可能にする記録再生手段、を有する受信装置であって、放送波を受信して再生信号を生成する受信手段と、前記受信手段内で生成される内部信号に基づいて受信状態を示す受信状態検出信号を生成する受信状態検出手段と、前記受信状態検出信号と前記再生信号とを同期させ、両信号を記録信号として前記記録再生手段に記録させる書込手段と、前記後の再生の際、前記記録再生手段に記録された前記記録信号を入力し、前記記録信号に含まれる前記受信状態検出信号と前記再生信号を同期させて分離する読取手段と、前記読取手段で分離された再生信号に混入しているノイズ成分を、前記読取手段で分離された受信状態検出信号に基づいて同期して除去するノイズ低減手段と、を具備することを特徴とする。
［００１２］
請求項６に記載の発明は、受信した放送を記録再生手段に記録した後、再生を可能にする受信方法であって、放送波を受信して再生信号を生成する受信工程と、前記受信工程において生成される内部信号に基づいて受信状態を示す受信状態検出信号を生成する受信状態検出工程と、前記受信状態検出信号と前記再生信号とを同期させ、両信号を記録信号として前記記録再生手段に記録させる書込工程と、前記後の再生の際、前記記録再生手段に記録された前記記録信号を入力し、前記記録信号に含まれる前記受信状態検出信号と前記再生信号を同期させて分離する読取工程と、前記読取工
【手続補正３】
【補正対象書類名】明細書
【補正対象項目名】０００３
【補正方法】変更
【補正の内容】
【０００３】
程で分離された再生信号に混入しているノイズ成分を、前記読取工程で分離された受信状態検出信号に基づいて同期して除去するノイズ低減工程と、を具備することを特徴とする。
【図面の簡単な説明】
［００１３］
［図１］本発明の実施形態に係る受信装置の構成を表したブロック図である。
［図２］実施例に係る受信装置の構成を表したブロック図である。
［図３］図２に示した受信装置の機能及び動作を説明するための図である。
［図４］更に他の実施例に係る受信装置の構成を表したブロック図である。
［図５］更に他の実施例に係る受信装置の構成を表したブロック図である。
［図６］図５に示した受信装置の機能及び動作を説明するための図である。
【発明を実施するための最良の形態】
［００１４］
本発明の実施形態に係る受信装置について図１を参照して説明する。図１は、本実施形態の受信装置の構成を表したブロック図である。
［００１５］
図１において、この受信装置１は、放送波を受信するアンテナＡＮＴが接続された受信手段としてのチューナ部２と、受信状態検出部３と、書込部４、記録再生装置５、読取部６、ノイズ低減部７、制御部８とを有して構成されている。
［００１６］
制御部８は、操作部（図示略）を介して入力される利用者からの指示に従って、本受信装置１の動作を制御する。
［００１７］
チューナ部２は、制御部８の制御下で、利用者によって選局された放送局の放送波を同調受信し、検波等を行うことによって、いわゆる検波出力或いは復調出力としての再生信号Ｓａｕを出力する。
［００１８］
すなわち、チューナ部２は、ラジオ放送を受信するラジオ放送受信用のチューナであれば、検波等によって生成した可聴周波数帯域のオーディオ信号を再生信号Ｓａｕとして出力し、更に、２チャンネルのステレオ放送や、２チャンネル以上のマルチチャンネル放送を受信すると、各々のチャンネルにチャンネル分離した再生信号Ｓａｕを出力する。
［００１９］
また、チューナ部２が、テレビジョン放送等の映像と音声の情報を有する放送を受信するチューナであれば、検波等によって生成した可聴周波数帯域のオーディオ信
【手続補正書】
【提出日】平成18年10月4日(2006.10.4)
【手続補正１】
【補正対象書類名】特許請求の範囲
【補正対象項目名】全文
【補正方法】変更
【補正の内容】
【特許請求の範囲】
【請求項１】
受信した放送を記録した後、再生を可能にする記録再生手段、を有する受信装置であって、
放送波を受信して再生信号を生成する受信手段と、
前記受信手段内で生成される内部信号に基づいて受信状態を示す受信状態検出信号を生成する受信状態検出手段と、
前記受信状態検出信号と前記再生信号とを同期させ、両信号を記録信号として前記記録再生手段に記録させる書込手段と、
前記後の再生の際、前記記録再生手段に記録された前記記録信号を入力し、前記記録信号に含まれる前記受信状態検出信号と前記再生信号を同期させて分離する読取手段と、
前記読取手段で分離された再生信号に混入しているノイズ成分を、前記読取手段で分離された受信状態検出信号に基づいて同期して除去するノイズ低減手段と、
を具備することを特徴とする受信装置。
【請求項２】
前記受信状態検出手段は、前記受信手段内で生成される検波信号に混入しているノイズ成分に基づいて前記受信状態検出信号を生成することを特徴とする請求項１に記載の受信装置。
【請求項３】
前記受信状態検出手段は、前記受信手段内で生成されるＳメータ信号に混入しているノイズ成分に基づいて前記受信状態検出信号を生成することを特徴とする請求項１に記載の受信装置。
【請求項４】
前記受信状態検出手段は、前記受信手段内で生成されるＳメータ信号の直流成分に基づいて前記受信状態検出信号を生成することを特徴とする請求項１に記載の受信装置。
【請求項５】
前記ノイズ低減手段は、前記記録再生手段に記録された前記記録信号が供給されると、前記受信状態検出信号に基づいて高域カットオフ周波数を可変調整し、前記記録信号に含まれ前記再生信号に混入しているノイズ成分を除去する可変ローパスフィルタを有することを特徴とする請求項１〜４の何れか１項に記載の受信装置。
【請求項６】
受信した放送を記録再生手段に記録した後、再生を可能にする受信方法であって、
放送波を受信して再生信号を生成する受信工程と、
前記受信工程において生成される内部信号に基づいて受信状態を示す受信状態検出信号を生成する受信状態検出工程と、
前記受信状態検出信号と前記再生信号とを同期させ、両信号を記録信号として前記記録再生手段に記録させる書込工程と、
前記後の再生の際、前記記録再生手段に記録された前記記録信号を入力し、前記記録信号に含まれる前記受信状態検出信号と前記再生信号を同期させて分離する読取工程と、
前記読取工程で分離された再生信号に混入しているノイズ成分を、前記読取工程で分離された受信状態検出信号に基づいて同期して除去するノイズ低減工程と、
を具備することを特徴とする受信方法。
【手続補正２】
【補正対象書類名】明細書
【補正対象項目名】全文
【補正方法】変更
【補正の内容】
【発明の詳細な説明】
【技術分野】
【０００１】
本発明は、放送波を受信する受信装置に関し、特に、放送を記録して再生する記録再生装置を備えた受信装置に関する。
【背景技術】
【０００２】
従来、記録再生装置を備えた受信装置として、特開２００１−２５０３６８号公報に開示されたものが知られている。
【０００３】
この受信装置は、同公報の図１に示されているように、ラジオ放送を受信してオーディオ信号を出力するチューナ(1)と、そのオーディオ信号を所定のエンコードデータに変換し、ハードディスク等の記憶装置(6)に記録させるＡＤ変換器(3)及びエンコーダ(5)と、記憶装置(6)から読み出されたエンコードデータをデコード等することにより元のオーディオ信号に変換するデコーダ(7)及びＤＡ変換器(9)と、変換した元のオーディオ信号を増幅してスピーカ(11)に供給するオーディオアンプ(10)を有している。
【０００４】
そして、利用者が受信チャンネルを指定して、記憶装置(6)への記録指定を行うと、所望のラジオ放送のオーディオ信号を記憶装置(6)に記録させ、後で再生させてそのラジオ放送を受聴することが可能となっている。
【０００５】
更に、この受信装置には、同公報の図７に示されているように、電波強度を検出する電波強度検出装置(41)が設けられており、受信強度が弱い場合に、他の受信チャンネルに切り換えて受信することにより、電波状態の良いオーディオ信号を記憶装置(6)に記録させるようになっている。
【０００６】
【特許文献１】特開２００１−２５０３６８号公報
【発明の開示】
【発明が解決しようとする課題】
【０００７】
ところで、上記公報に開示された従来の受信装置は、電波状態の良いオーディオ信号を受信すべく、受信チャンネルを切り換える電波強度検出装置(41)が設けられているが、基本的に、チューナ(1)で受信したオーディオ信号をそのままエンコードデータに変換して記憶装置(6)に記録し、後で記憶装置(6)からエンコードデータを読み出してそのまま元のオーディオ信号に変換して再生する構成となっている。
【０００８】
このため、一般には、利用者が電波状態の良い受信チャンネルだけを指定するとは限らないことから、ノイズを含んだオーディオ信号が記憶装置(6)に記録され、利用者が後でオーディオ信号を再生するとノイズも再生されてしまい、結果的にノイズを含んだ耳障りなラジオ放送を受聴することになってしまうという問題がある。
【０００９】
例えば、自動車等の移動体に搭載される受信装置にあっては、不可避的に、マルチパスフェージングや隣接妨害等の影響を受けた放送波を受信することとなるため、オーディオ信号にノイズが混入することとなり、該オーディオ信号を記憶装置(6)に記録して再生すると、耳障りなノイズも再生されてしまうという問題を招来する。
【００１０】
本発明は、このような従来の課題に鑑みてなされたものであり、放送を記録して再生する記録再生手段を備え、ノイズを抑制した高品質の放送を再生することを可能にする受信装置を提供することを目的とする。
【課題を解決するための手段】
【００１１】
請求項１に記載の発明は、受信した放送を記録した後、再生を可能にする記録再生手段、を有する受信装置であって、放送波を受信して再生信号を生成する受信手段と、前記受信手段内で生成される内部信号に基づいて受信状態を示す受信状態検出信号を生成する受信状態検出手段と、前記受信状態検出信号と前記再生信号とを同期させ、両信号を記録信号として前記記録再生手段に記録させる書込手段と、前記後の再生の際、前記記録再生手段に記録された前記記録信号を入力し、前記記録信号に含まれる前記受信状態検出信号と前記再生信号を同期させて分離する読取手段と、前記読取手段で分離された再生信号に混入しているノイズ成分を、前記読取手段で分離された受信状態検出信号に基づいて同期して除去するノイズ低減手段と、を具備することを特徴とする。
【００１２】
請求項６に記載の発明は、受信した放送を記録再生手段に記録した後、再生を可能にする受信方法であって、放送波を受信して再生信号を生成する受信工程と、前記受信工程において生成される内部信号に基づいて受信状態を示す受信状態検出信号を生成する受信状態検出工程と、前記受信状態検出信号と前記再生信号とを同期させ、両信号を記録信号として前記記録再生手段に記録させる書込工程と、前記後の再生の際、前記記録再生手段に記録された前記記録信号を入力し、前記記録信号に含まれる前記受信状態検出信号と前記再生信号を同期させて分離する読取工程と、前記読取工程で分離された再生信号に混入しているノイズ成分を、前記読取工程で分離された受信状態検出信号に基づいて同期して除去するノイズ低減工程と、を具備することを特徴とする。
【発明を実施するための最良の形態】
【００１３】
本発明の実施形態に係る受信装置について図１を参照して説明する。図１は、本実施形態の受信装置の構成を表したブロック図である。
【００１４】
図１において、この受信装置１は、放送波を受信するアンテナＡＮＴが接続された受信手段としてのチューナ部２と、受信状態検出部３と、書込部４、記録再生装置５、読取部６、ノイズ低減部７、制御部８とを有して構成されている。
【００１５】
制御部８は、操作部（図示略）を介して入力される利用者からの指示に従って、本受信装置１の動作を制御する。
【００１６】
チューナ部２は、制御部８の制御下で、利用者によって選局された放送局の放送波を同調受信し、検波等を行うことによって、いわゆる検波出力或いは復調出力としての再生信号Ｓauを出力する。
【００１７】
すなわち、チューナ部２は、ラジオ放送を受信するラジオ放送受信用のチューナであれば、検波等によって生成した可聴周波数帯域のオーディオ信号を再生信号Ｓauとして出力し、更に、２チャンネルのステレオ放送や、２チャンネル以上のマルチチャンネル放送を受信すると、各々のチャンネルにチャンネル分離した再生信号Ｓauを出力する。
【００１８】
また、チューナ部２が、テレビジョン放送等の映像と音声の情報を有する放送を受信するチューナであれば、検波等によって生成した可聴周波数帯域のオーディオ信号を再生信号Ｓauとして出力し、更に、２チャンネルのステレオ放送や、２チャンネル以上のマルチチャンネル放送を受信すると、各々のチャンネルにチャンネル分離した再生信号Ｓauを出力する。
【００１９】
受信状態検出部３は、チューナ部２が受信中に生成する中間周波数信号（ＩＦ信号）等の内部信号に基づいて受信状態を検出し、検出した受信状態を示す受信状態検出信号Ｓnzを出力する。
【００２０】
例えば、受信状態検出部３は、チューナ部２に設けられている検波器から出力される検波信号に混入しているノイズ成分のレベル変化に基づいて受信状態を検出したり、また、チューナ部２に設けられている中間周波増幅器から出力される電界強度を示すＳメータ信号に混入しているノイズ成分のレベル変化に基づいて受信状態を検出したり、また、Ｓメータ信号の直流成分のレベル変化に基づいて受信感度を検出し、その検出した受信感度に基づいて受信状態を検出する。
【００２１】
そして、検波信号やＳメータ信号に混入しているノイズ成分のレベルが大きい場合ほど受信状態が良好ではなく、また、それらのノイズ成分のレベルが小さい場合ほど受信状態が良好であることを示す受信状態検出信号Ｓnzを出力する。
【００２２】
また、受信感度に基づいて受信状態を検出する構成とした場合には、Ｓメータ信号の直流成分のレベルが大きい場合ほど受信状態が良好、そのレベルが小さい場合ほど受信状態が良好ではないことを示す受信状態検出信号Ｓnzを出力する。
【００２３】
書込部４は、制御部８から書き込み制御信号ＷＲＩＴＥが供給されると、再生信号Ｓauと受信状態検出信号Ｓnzとを時間的に対応付けて記録信号Ｓwを生成し、記録再生装置５に記録させる。
【００２４】
すなわち、書込部４は、再生信号Ｓauと受信状態検出信号Ｓnzとを受信時間に同期させることによって、再生信号Ｓauと受信状態検出信号Ｓnzとの時間的ズレが生じさせないように調整し、該同期調整を行った再生信号Ｓauと受信状態検出信号Ｓnzとを記録信号Ｓwとして記録再生装置５に記録させる。
【００２５】
更に、書込部４は、記録信号Ｓwの先頭に識別信号を付加すると共に、制御部８から記録終了を示す制御信号が供給されると、記録信号Ｓwの終端に、記録信号Ｓwの終了位置であることを示すエンド信号を付加して出力する。
【００２６】
そして、制御部８が、これらの識別信号とエンド信号の付加された各時間（以下「付加時間」という）を管理することにより、記録信号Ｓwの範囲を識別できるようになっている。また、制御部８が操作部（図示略）に設けられている液晶ディスプレイ等に、付加時間の情報を表示させることで、記録再生装置５に記録されている放送を利用者に提示するようになっている。
【００２７】
記録再生装置５は、制御部８から書き込み制御信号ＷＲＩＴＥが供給されると、書込部４から供給される記録信号Ｓwを記録する。
【００２８】
また、記録再生装置５は、制御部８から読み取り制御信号ＲＥＡＤが供給されると、既に記録されている記録信号Ｓwを読取信号Ｓrとして出力する。
【００２９】
ここで、制御部８が、既に記録されている記録信号Ｓw（以下、既に記録されている「記録信号Ｓw」を「読取信号Ｓr」という）に付加されている識別信号を指定して、読み取り制御信号ＲＥＡＤを出力すると、記録再生装置５は、指定された識別信号が付加された読取信号Ｓrを出力する。
【００３０】
また、記録再生装置５は、制御部８から書き込み制御信号ＷＲＩＴＥと読み取り制御信号ＲＥＡＤが供給されると、書込部４から供給される記録信号Ｓwを記録しながら、読取信号Ｓrを出力する。
【００３１】
ここで、制御部８が、既に記録されている読取信号Ｓrに付加されている識別信号を指定して、書き込み制御信号ＷＲＩＴＥと読み取り制御信号ＲＥＡＤを出力すると、記録再生装置５は、受信中に書込部４から供給される記録信号Ｓwを記録しながら、識別信号で指定された読取信号Ｓrを出力する。したがって、利用者は、受信中の放送を記録再生装置５に記録しながら、以前に記録しておいた別の放送の読取信号Ｓrを出力させることが可能となっている。
【００３２】
また、制御部８が、識別信号を指定することなく、書き込み制御信号ＷＲＩＴＥと読み取り制御信号ＲＥＡＤを出力すると、記録再生装置５は、受信中に書込部４から供給される記録信号Ｓwを記録しながら、その記録信号Ｓwをいわゆる同時読み取りし、読取信号Ｓrとして出力する。したがって、利用者は、受信中の放送を記録再生装置５に記録しながら、同時にその放送の読取信号Ｓrを出力させことが可能となっている。
【００３３】
読取部６は、読み取り制御信号ＲＥＡＤの指示に従って、記録再生装置５から供給される読取信号Ｓrを入力し、読取信号Ｓrに含まれている再生信号Ｓauと受信状態検出信号Ｓnzとを時間軸上で同期させて分離し、分離した再生信号Ｓau（以下、分離後の再生信号Ｓauを符号Ｓaurで表す）と、分離した受信状態検出信号Ｓnz（以下、分離後の受信状態検出信号Ｓnzを符号Ｓnzrで表す）をノイズ低減部７に供給する。
【００３４】
ノイズ低減部７は、受信状態検出信号Ｓnzrの変化に同期して再生信号Ｓaurに混入しているノイズ成分を除去することによって、ノイズを低減（抑制）した出力用再生信号Ｓoを生成し、スピーカ等に供給する。
【００３５】
ここで、ノイズ低減部７は、可聴周波数帯域の上限に高域カットオフ周波数ｆuを有し、受信状態検出信号Ｓnzrの変化に応じて、その高域カットオフ周波数ｆuを低周波数側へ変化させる、可変ローパスフィルタによって形成されている。
【００３６】
すなわち、ノイズ低減部７は、最良の受信状態を示す受信状態検出信号Ｓnzrが供給される場合に、ディフォルト値として決められた高域カットオフ周波数ｆuを設定し、それより受信状態が良好でないことを示す受信状態検出信号Ｓnzrが供給されると、受信状態検出信号Ｓnzrに応じて高域カットオフ周波数ｆuを低周波数側へ変化させることにより、再生信号Ｓaurに混入しているノイズ成分を除去する。
【００３７】
次に、かかる構成を有する受信装置１の動作を説明する。なお、利用者による本受信装置１の使用形態に対応させて動作を説明することとする。
＜記録動作＞
利用者が制御部８に対して受信開始の指示をすると、制御部８による制御下でチューナ部２が受信動作を開始し、更に利用者が所望の放送局を指定すると、制御部８が、指定された放送局に相当する同調周波数（局部発振周波数）をチューナ部２に指令することで、チューナ部２が指定された放送局の放送波を同調受信する。
【００３８】
こうしてチューナ部２が受信動作を行っている際、利用者が記録再生装置５に放送を記録すべき旨の指示をすると、制御部８から書込部４と記録再生装置５に書き込み制御信号ＷＲＩＴＥが供給され、書込部４と記録再生装置５が記録動作を開始する。
【００３９】
そして、チューナ部２が同調及び検波等を行って再生信号Ｓauを出力し、受信状態検出部３が受信状態検出信号Ｓnzを出力し、更に、書込部４が再生信号Ｓauと受信状態検出信号Ｓnzとを同期させた記録信号Ｓwを生成して、記録再生装置５に記録させていく。
【００４０】
そして、利用者が記録終了の指示をすると、制御部８から記録終了を示す制御信号が出力されるとともに、書き込み制御信号ＷＲＩＴＥが出力されなくなり、書込部４と記録再生装置５が記録動作を終了する。
【００４１】
このように、利用者が受信中に＜記録動作＞の指示をすると、記録再生装置５が、その受信中の放送を、再生信号Ｓauと受信状態検出信号Ｓnzとから成る記録信号Ｓwとして記録する。
＜再生動作＞
利用者が記録再生装置５に記録されている所望の放送を再生させるべく、制御部８に対して、付加時間を指定して再生開始の指示をすると、制御部８から記録再生装置５と読取部６に、指定された付加時間と、読み取り制御信号ＲＥＡＤが供給され、記録再生装置５と読取部６が再生動作を開始する。
【００４２】
そして、記録再生装置５が、付加時間によって指定される読取信号Ｓrを出力するとともに、読取部６が読取信号Ｓrを再生信号Ｓaurと受信状態検出信号Ｓnzrに同期分離して出力し、更に、ノイズ低減部７が、受信状態検出信号Ｓnzrの変化に応じて、再生信号Ｓaurに混入しているノイズ成分を除去し、ノイズを抑制した出力用再生信号Ｓoを出力して、スピーカ等に供給する。
【００４３】
そして、記録再生装置５が利用者から指定された放送に関する読取信号Ｓrを出力し終えると、制御部８から記録終了を示す制御信号が出力されるとともに、書き込み制御信号ＷＲＩＴＥが出力されなくなり、書込部４と記録再生装置５が記録動作を終了する。
【００４４】
また、記録再生装置５が読取信号Ｓrを出力中に、利用者が再生終了の指示をした場合にも、制御部８から記録終了を示す制御信号が出力されるとともに、書き込み制御信号ＷＲＩＴＥが出力されなくなり、書込部４と記録再生装置５が記録動作を終了する。
【００４５】
このように、利用者が、＜再生動作＞の指示をすると、記録再生装置５が既に記録されている読取信号Ｓrを出力することで、以前に記録しておいた放送を再生することが可能となっている。
【００４６】
更に、受信状態検出信号Ｓnzrと再生信号Ｓaurとから成る読取信号Ｓrを記録再生装置５が出力して、ノイズ低減部７が受信状態検出信号Ｓnzrに基づいて再生信号Ｓaur中のノイズ成分を除去するので、ノイズを抑制した高品位の音をスピーカ等で再生し、利用者に提供することができる。
＜記録再生同時動作＞
次に、チューナ部２が受信動作を行っている際、利用者が制御部８に対して、記録再生装置５に放送の記録と再生を行わせるべく指示すると、制御部８の制御下で、記録と再生を同時に行う記録再生同時動作が開始される。
【００４７】
ここで、利用者が記録再生装置５に記録されている所望の放送を再生させるべく、付加時間を指定して記録再生同時動作を指示すると、制御部８は、書き込み制御信号ＷＲＩＴＥを書込部４と記録再生装置５に供給するとともに、付加時間と読み取り制御信号ＲＥＡＤを記録再生装置５と読取部６に供給する。
【００４８】
これにより、書込部４が受信中の放送を記録信号Ｓwとして記録再生装置５に記録させながら、記録再生装置５が、付加時間によって指定された既に記録されている読取信号Ｓrを読取部６を介して出力し、更に、ノイズ低減部７が、ノイズを抑制した出力用再生信号Ｓoを生成して出力する。
【００４９】
したがって、利用者が付加時間を指定して記録再生同時動作を指示すると、以前に記録しておいた放送を再生して受聴しながら、現在受信中の放送を新規に記録することが可能となっている。
【００５０】
更に、ノイズ低減部７が受信状態検出信号Ｓnzrに基づいて再生信号Ｓaur中のノイズ成分を除去するので、ノイズを抑制した高品位の音をスピーカ等で再生し、利用者に提供することが可能となっている。
【００５１】
一方、利用者が付加時間を指定することなく、記録再生同時動作を指示すると、制御部８は、書き込み制御信号ＷＲＩＴＥを書込部４と記録再生装置５に供給するとともに、読み取り制御信号ＲＥＡＤを記録再生装置５と読取部６に供給する。すなわち、制御部８から記録再生装置５に、付加時間が供給されない。
【００５２】
これにより、書込部４が受信中の放送を記録信号Ｓwとして記録再生装置５に記録させながら、記録再生装置５が、その記録信号Ｓwをいわゆる同時読み取りすることにより読取信号Ｓrとして、読取部６を介して出力し、更に、ノイズ低減部７が、ノイズを抑制した出力用再生信号Ｓoを生成して出力する。
【００５３】
したがって、利用者は、付加時間を指定することなく、記録再生同時動作を指示すると、受信中の放送を記録再生装置５に記録しながら、同時にその放送の読取信号Ｓrを出力させることが可能となっている。更に、ノイズ低減部７が受信状態検出信号Ｓnzrに基づいて再生信号Ｓaur中のノイズ成分を除去するので、ノイズを抑制した高品位の音をスピーカ等で再生し、利用者に提供することができる。
【００５４】
以上説明したように、本実施形態の受信装置１によれば、受信中の放送を記録再生装置５に記録する際、受信状態を示す受信状態検出信号Ｓnzと再生信号Ｓauとから成る記録信号Ｓwとして記録しておき、記録再生装置５に記録されている放送を再生する際、読取信号Ｓrに含まれている受信状態検出信号Ｓnzrを利用して、再生信号Ｓaurに混入しているノイズ成分を除去するので、利用者に対し、ノイズを抑制した高品質の放送を提供することができる。
【００５５】
また、利用者が必ずしも電波状態の良い放送局を指定せずにその放送を記録した場合であっても、読取信号Ｓrに含まれている受信状態検出信号Ｓnzrを利用して、再生信号Ｓaurに混入しているノイズ成分を除去するので、利用者の一般的な利用形態に合わせて、高品質の放送を再生することが可能である。
【００５６】
また、本実施形態の受信装置１を自動車等の移動体に搭載し、不可避的に、マルチパスフェージングや隣接妨害等の影響を受ける環境下で放送波を受信して記録再生装置５に記録する場合でも、再生時に、読取信号Ｓrに含まれている受信状態検出信号Ｓnzrを利用して、再生信号Ｓaurに混入しているノイズ成分を除去するので、高品質の放送を利用者に提供することが可能である。
【実施例１】
【００５７】
次に、図１に示した実施形態に係るより具体的な実施例について、図２及び図３を参照して説明する。
【００５８】
図２は、本実施例の受信装置１の構成を表したブロック図であり、図１と同一又は相当する部分を同一符号で示している。図３は、受信装置１の動作を説明するための図である。
【００５９】
図２において、この受信装置１は、放送波を受信するアンテナＡＮＴが接続された受信手段としてのチューナ部２と、受信状態検出部３と、書込部４、記録再生装置５、読取部６、ノイズ低減部７、制御部８、ノイズ低減部７から出力される出力再生用信号Ｓoを電力増幅等してスピーカ（図示略）に供給する出力回路９、及び利用者が入力操作等を行うための操作部１０を有して構成されている。
【００６０】
ここで、制御部８は、演算制御機能を有するマイクロプロセッサ（ＭＰＵ）等を備えた回路で形成されており、操作部１０を介して入力される利用者からの指示に従って、受信装置１の動作を集中制御する。
【００６１】
チューナ部２は、放送波を受信する受信アンテナＡＮＴから出力される高周波信号（ＲＦ信号）を増幅するＲＦ増幅器２ａと、制御部８によって指令される周波数設定信号Ｆsetに従って同調周波数信号（局発信号）ＯＳＣを出力するＰＬＬ部２ｆと、ＲＦ増幅器２ａの出力と局発信号ＯＳＣと混合することで中間周波数信号を生成して出力するフロントエンド２ｂ、中間周波数信号を増幅して出力する中間周波増幅器２ｃ、中間周波増幅器２ｃの出力を検波して検波信号Ｓdetを出力する検波器２ｄ、検波信号を各チャンネルのオーディオ信号にチャンネル分離し、各チャンネルのオーディオ信号の束として再生信号Ｓauを出力する分離回路２ｅを有して構成されている。
【００６２】
そして、検波信号Ｓdetが受信状態検出部３、再生信号Ｓauが書込部４に供給されている。
【００６３】
受信状態検出部３は、検波信号Ｓdetを入力するハイパスフィルタ３ａと、ハイパスフィルタ３ａの出力を電圧増幅する増幅回路３ｂと、増幅回路３ｂの出力から受信状態検出信号Ｓnzを生成する整流回路３ｃによって構成されている。
【００６４】
ここで、ハイパスフィルタ３ａは、良好な受信状態のときに検波器２ｄから出力される検波信号Ｓdetの周波数帯域の上限に合わせられた低域カットオフ周波数ｆdを有しており、検波信号Ｓdetに混入している低域カットオフ周波数ｆdより高周波数のノイズ成分を抽出して出力し、増幅回路３ｄで増幅させて、整流回路３ｃに供給する。
【００６５】
整流回路３ｄは、ノイズ成分の絶対値を整流（平滑化）することにより、振幅の変化を受信状態の変化として示す受信状態検出信号Ｓnzを生成して出力する。
【００６６】
書込部４は、再生信号Ｓauと受信状態検出信号Ｓnzを各々デジタルデータにＡ／Ｄ変換して入力するＡ／Ｄ変換器（図示略）を有し、それらのデジタルデータを受信時間に同期させて時間的ズレが生じさせないように調整することにより、再生信号Ｓauと受信状態検出信号Ｓnzとのデジタルデータ列から成る記録信号Ｓwを記録再生装置５に供給する。また、書込部４は、前述した実施形態と同様に、デジタルデータから成る識別信号とエンド信号を記録信号Ｓwに付加して記録再生装置５に供給し、制御部８がこれらの識別信号とエンド信号の付加された各時間（付加時間）を管理することにより、記録信号Ｓwの範囲を識別できるようになっている。また、制御部８が操作部１０に設けられている液晶ディスプレイ等に、付加時間の情報を表示させることで、記録再生装置５に記録されている放送を利用者に提示する。
【００６７】
記録再生装置５は、ハードディスクや、ＤＶＤ、ＣＤ、半導体メモリ等の再書き込みが可能なストレージ媒体に記録信号Ｓwを記録するとともに、その記録信号Ｓwを読取信号Ｓrとして出力する。
【００６８】
読取部６は、記録再生装置５から出力されるデジタルデータから成る読取信号Ｓrを、各々デジタルデータから成る再生信号Ｓaurと受信状態検出信号Ｓnzrに同期分離し、図示していないＤ／Ａ変換器によってアナログの再生信号Ｓaurと受信状態検出信号Ｓnzrに変換して出力する。
【００６９】
ノイズ低減部７は、再生信号Ｓaurを入力する可変ローパスフィルタ７ａと、受信状態検出信号Ｓnzrを入力する周波数制御部７ｂによって構成されている。
【００７０】
ここで、可変ローパスフィルタ７ａは、可聴周波数帯域の上限に高域カットオフ周波数ｆuを有し、周波数制御部７ｂから供給される周波数調整制御信号ＣＮＴの指示に従って、その高域カットオフ周波数ｆuを変化させる。
【００７１】
周波数制御部７ｂは、高域カットオフ周波数ｆuを変化させる周波数調整制御信号ＣＮＴを、受信状態検出信号Ｓnzrの振幅変化に応じて出力する。
【００７２】
すなわち、周波数制御部７ｂには、図３（ａ）に例示するように、受信状態検出信号Ｓnzrの振幅と高域カットオフ周波数ｆuとが対応付けられた、いわゆるルックアップテーブル形式のデータを記憶したメモリが設けられており、受信状態検出信号Ｓnzrの振幅に基づいて該メモリのデータを検索することで、高域カットオフ周波数ｆuを決定する。
【００７３】
そして、周波数制御部７ｂは、図３（ｂ）に例示するように、受信状態検出信号Ｓnzrの振幅が大きい場合ほど、受信状態が良好でないとして、可変ローパスフィルタ７ａの高域カットオフ周波数ｆuを低周波数側へ変化させるための周波数調整制御信号ＣＮＴを出力し、また、受信状態検出信号Ｓnzrの振幅が小さい場合ほど、受信状態が良好であるとして、可変ローパスフィルタ７ａの高域カットオフ周波数ｆuを高周波数側へ変化させるための周波数調整制御信号ＣＮＴを出力する。
【００７４】
このように、可変ローパスフィルタ７ａの高域カットオフ周波数ｆuを可変調整することによって、再生信号Ｓaurに混入しているノイズ成分を除去して、ノイズを抑制した高品質の出力用再生信号Ｓoを出力する。
【００７５】
次に、本実施例の受信装置１の動作を説明する。 
本実施例の受信装置１においても、実施形態の受信装置１（図１参照）と同様に、利用者が操作部１０を操作することにより、＜記録動作＞と＜再生動作＞と＜記録再生同時動作＞を適宜指定することができるようになっている。そこで、利用者の利用形態毎に動作を説明する。
【００７６】
＜記録動作＞
チューナ部２が受信動作を行っている際、利用者が＜記録動作＞を指定すると、制御部８から書込部４と記録再生装置５に書き込み制御信号ＷＲＩＴＥが供給され、書込部４と記録再生装置５が記録動作を開始する。そして、チューナ部２が同調及び検波等を行って再生信号Ｓauを出力し、受信状態検出部３が受信状態検出信号Ｓnzを出力し、更に、書込部４が再生信号Ｓauと受信状態検出信号Ｓnzとを同期させた記録信号Ｓwを生成して、記録再生装置５に記録させていく。
【００７７】
ここで、受信状態検出３は、検波器２ｄから出力される検波信号Ｓdetをハイパスフィルタ３ａに通すことによって、受信状態に応じて検出信号Ｓdetに混入することとなったノイズ成分を抽出し、更に増幅回路３ｂで増幅されるノイズ成分の絶対値を整流回路３ｃが整流することにより、例えば図３（ｃ）に模式的に示すように、そのノイズ成分のエンベロープを示す受信状態検出信号Ｓnzを生成して出力する。
【００７８】
したがって、書込部４は、分離回路２ｅから出力される、例えば図３（ｄ）に模式的に示すようなノイズ成分の混入した再生信号Ｓauと、受信状態検出信号Ｓnzとを受信時間に同期させて記録信号Ｓwを生成し、記録再生装置５に記録させる。
【００７９】
そして、利用者が記録終了の指示をすると、制御部８から記録終了を示す制御信号が出力されるとともに、書き込み制御信号ＷＲＩＴＥが出力されなくなり、書込部４と記録再生装置５が記録動作を終了する。
【００８０】
＜再生動作＞
利用者が記録再生装置５に記録されている所望の放送を再生させるべく、付加時間を指定して再生開始の指示をすると、制御部８から記録再生装置５と読取部６に、指定された付加時間と、読み取り制御信号ＲＥＡＤが供給され、記録再生装置５と読取部６が再生動作を開始する。
【００８１】
そして、記録再生装置５が、付加時間によって指定される読取信号Ｓrを出力するとともに、読取部６が読取信号Ｓrを再生信号Ｓaurと受信状態検出信号Ｓnzrに同期分離して出力し、更に、ノイズ低減部７の周波数制御部７ｂが受信状態検出信号Ｓnzrの変化に応じて可変ローパスフィルタ７ａの高域カットオフ周波数ｆuを制御することで、再生信号Ｓaurに混入しているノイズ成分を除去させ、ノイズを抑制した出力用再生信号Ｓoをスピーカ等に供給させる。
【００８２】
すなわち、記録再生装置５から出力されて読取部６で同期分離された再生信号Ｓauと受信状態検出信号Ｓnzrが図３（ｃ）（ｄ）に例示したような波形である場合、周波数制御部７ｂが受信状態検出信号Ｓnzrの振幅変化に応じて、可変ローパスフィルタ７ａの高域カットオフ周波数ｆuを調整制御することで、例えば図３（ｅ）に例示するように、再生信号Ｓauに混入しているノイズ成分を除去した出力用再生信号Ｓoを出力させ、スピーカ等から高品質の音を出力させる。
【００８３】
そして、記録再生装置５が利用者から指定された放送に関する読取信号Ｓrを出力し終えると、または、利用者が再生終了の指示をすると、制御部８から記録終了を示す制御信号が出力されるとともに、書き込み制御信号ＷＲＩＴＥが出力されなくなり、書込部４と記録再生装置５が記録動作を終了する。
【００８４】
このように、利用者は、＜再生動作＞の指示をすると、記録再生装置５に記録しておいた読取信号Ｓrに基づいて、以前に記録しておいた放送を再生することができ、更に、再生に際してノイズ低減部７が、受信状態検出信号Ｓnzrに基づいて再生信号Ｓaur中のノイズ成分を除去するので、ノイズを抑制した高品位の音をスピーカ等で再生し、利用者に提供することができる。
【００８５】
＜記録再生同時動作＞
チューナ部２が受信動作を行っている際、利用者が記録と再生を行わせるべく指示すると、制御部８の制御下で、記録と再生を同時に行う記録再生同時動作が開始される。
【００８６】
ここで、利用者が、記録再生装置５に既に記録されている放送を指定して再生させるべく、付加時間を指定して記録再生同時動作を指示した場合と、付加時間を指定することなく記録再生同時動作を指示した場合とで、次のように異なった記録再生動作が行われる。
【００８７】
まず、利用者が付加時間を指定して記録再生同時動作を指示した場合には、制御部８が、書き込み制御信号ＷＲＩＴＥを書込部４と記録再生装置５に供給するとともに、付加時間と読み取り制御信号ＲＥＡＤを記録再生装置５と読取部６に供給する。
【００８８】
これにより、書込部４が受信中の放送を記録信号Ｓwとして記録再生装置５に記録させながら、記録再生装置５が、付加時間によって指定された既に記録されている読取信号Ｓrを読取部６を介して出力し、更に、ノイズ低減部７の可変ローパスフィルタ７ａと周波数制御部７ｂが、再生信号Ｓaurに混入しているノイズ成分を受信状態検出信号Ｓaurの変化に応じて除去することにより、ノイズを抑制した出力用再生信号Ｓoをスピーカ等に供給させる。
【００８９】
このように、利用者が付加時間を指定して記録再生同時動作を指示すると、以前に記録しておいた放送を再生して受聴しながら、現在受信中の放送を新規に記録することができ、更にノイズ低減部７が、受信状態検出信号Ｓnzrに基づいてと再生信号Ｓaur中のノイズ成分を除去するので、ノイズを抑制した高品位の音をスピーカ等で再生し、利用者に提供することが可能となっている。
【００９０】
更に、現在受信中の放送を記録信号Ｓwとして記録再生装置５に記録していく際、受信状態検出部３が検波信号Ｓdetに混入しているノイズ成分を抽出して受信状態検出信号Ｓnzを生成し、更に、書込部４がその受信状態検出信号Ｓnzと再生信号Ｓauとを受信時間に同期させた記録信号Ｓwを生成して記録再生装置５に記録させるので、利用者が後でその記録した放送の記録信号Ｓwに基づいて再生を行う場合にも、ノイズ低減部７においてノイズを抑制した出力用再生信号Ｓoを生成させ、高品質の音をスピーカ等で再生して、利用者に提供することが可能となっている。
【００９１】
次に、利用者が付加時間を指定することなく、記録再生同時動作を指示した場合を説明すると、利用者方の当該指定に従って、制御部８が、付加時間を出力することなく、書き込み制御信号ＷＲＩＴＥを書込部４と記録再生装置５に供給するとともに、読み取り制御信号ＲＥＡＤを記録再生装置５と読取部６に供給する。
【００９２】
これにより、書込部４が受信中の放送を記録信号Ｓwとして記録再生装置５に記録させながら、記録再生装置５が、その記録信号Ｓwをいわゆる同時読み取りすることにより読取信号Ｓrとして、読取部６を介して出力し、更に、ノイズ低減部７が、ノイズを抑制した出力用再生信号Ｓoを生成して出力する。
【００９３】
したがって、利用者は、付加時間を指定することなく記録再生同時動作を指示すると、受信中の放送を記録再生装置５に記録しながら、同時にその放送の読取信号Ｓrを出力させことができる。
【００９４】
また、記録再生装置５が、受信中の放送を記録信号Ｓwとして記録する際、受信状態検出部３で生成される受信状態検出信号Ｓnzを含めて記録し、同時読み取りに際して、その記録した記録信号Ｓwを読取信号Ｓrとして出力するので、ノイズ低減部７が受信状態検出信号Ｓnzrに基づいて再生信号Ｓaur中のノイズ成分を除去することとなり、ノイズを抑制した高品位の音をスピーカ等で再生し、利用者に提供することができる。
【００９５】
更に、現在受信中の放送を記録信号Ｓwとして記録再生装置５に記録した後、利用者が後でその記録した放送の記録信号Ｓwに基づいて再生を行う場合にも、ノイズ低減部７においてノイズを抑制した出力用再生信号Ｓoを生成させ、高品質の音をスピーカ等で再生して、利用者に提供することが可能となっている。
【００９６】
以上説明したように、本実施例の受信装置１によれば、受信中の放送を記録再生装置５に記録する際、検波信号Ｓdetに含まれているノイズ成分に基づいて生成した受信状態を示す受信状態検出信号Ｓnzと、再生信号Ｓauとから成る記録信号Ｓwとして記録しておき、記録再生装置５に記録されている放送を再生する際、読取信号Ｓrに含まれている受信状態検出信号Ｓnzrを利用して、再生信号Ｓaurに混入しているノイズ成分を除去するので、利用者に対し、ノイズを抑制した高品質の放送を提供することができる。
【実施例２】
【００９７】
次に、更に他の実施例について図４を参照して説明する。 
図４は、本実施例の受信装置１の構成を表したブロック図であり、図１及び図２と同一又は相当する部分を同一符号で示している。
【００９８】
この受信装置１の特徴を図２に示した受信装置１と対比して説明すると、図２に示した受信装置１では、受信状態検出部３が検波信号Ｓdetに混入しているノイズ成分に基づいて受信状態検出信号Ｓnzを生成するのに対し、図４に示す本実施例の受信装置１に設けられている受信状態検出部３は、中間周波増幅器２ｃから出力されるＳメータ信号Ｓmに混入しているノイズ成分をハイパスフィルタ３ａで抽出して増幅回路３ｂで増幅し、整流回路３ｃがその増幅されたノイズ成分の絶対値を整流することで、ノイズ成分のエンベロープを示す受信状態検出信号Ｓnzを生成して出力する。
【００９９】
ここで、本実施例の受信状態検出部３に設けられているハイパスフィルタ３ａは、良好な受信状態のときに中間周波増幅器２ｃから出力されるＳメータ信号Ｓmの周波数帯域の上限に合わせられた低域カットオフ周波数ｆdを有している。
【０１００】
そして、本実施例の受信装置１に設けられている、残余のチューナ部２と書込部４と記録再生装置５、読取部６、ノイズ低減部７、制御部８、出力回路９及び操作部１０については、図２に示した受信装置１と同様の構成及び機能を有している。
【０１０１】
本実施例の受信装置１によれば、前述した実施例１の受信装置１と同様に、利用者が操作部１０を操作することにより、＜記録動作＞と＜再生動作＞と＜記録再生同時動作＞を適宜指定することができるようになっている。
【０１０２】
そして、利用者が＜記録動作＞を指定すると、チューナ部２が同調及び検波等を行って再生信号Ｓauを出力し、受信状態検出部３がＳメータ信号Ｓmに混入しているノイズ成分を抽出して受信状態検出信号Ｓnzを生成し、更に、書込部４が再生信号Ｓauと受信状態検出信号Ｓnzとを同期させた記録信号Ｓwを生成して、記録再生装置５に記録させていく。
【０１０３】
また、利用者が、付加時間を指定して＜再生動作＞を指定すると、記録再生装置５が、付加時間によって指定される読取信号Ｓrを出力するとともに、読取部６が読取信号Ｓrを再生信号Ｓaurと受信状態検出信号Ｓnzrに同期分離して出力し、更に、ノイズ低減部７の周波数制御部７ｂが受信状態検出信号Ｓnzrの変化に応じて可変ローパスフィルタ７ａの高域カットオフ周波数ｆuを制御することで、再生信号Ｓaurに混入しているノイズ成分を除去させ、ノイズを抑制した出力用再生信号Ｓoをスピーカ等に供給させる。
【０１０４】
また、利用者が、付加時間を指定して＜記録再生同時動作＞を指定すると、書込部４が受信中の放送を記録信号Ｓwとして記録再生装置５に記録させながら、記録再生装置５が付加時間によって指定された既に記録されている読取信号Ｓrを読取部６を介して出力し、更に、ノイズ低減部７の可変ローパスフィルタ７ａと周波数制御部７ｂが、再生信号Ｓaurに混入しているノイズ成分を受信状態検出信号Ｓaurの変化に応じて除去することにより、ノイズを抑制した出力用再生信号Ｓoをスピーカ等に供給させる。
【０１０５】
また、利用者が、付加時間を指定することなく、＜記録再生同時動作＞を指定すると、書込部４が受信中の放送を記録信号Ｓwとして記録再生装置５に記録させながら、記録再生装置５が同時読み取りを行うことによって、読取信号Ｓrを読取部６を介して出力し、更に、ノイズ低減部７の可変ローパスフィルタ７ａと周波数制御部７ｂが、再生信号Ｓaurに混入しているノイズ成分を受信状態検出信号Ｓaurの変化に応じて除去することにより、ノイズを抑制した出力用再生信号Ｓoをスピーカ等に供給させる。
【０１０６】
このように、本実施例の受信装置１によれば、受信中の放送を記録再生装置５に記録する際、Ｓメータ信号Ｓmに混入しているノイズ成分に基づいて生成した受信状態を示す受信状態検出信号Ｓnzと、再生信号Ｓauとから成る記録信号Ｓwとして記録しておき、記録再生装置５に記録されている放送を再生する際、読取信号Ｓrに含まれている受信状態検出信号Ｓnzrを利用して、再生信号Ｓaurに混入しているノイズ成分を除去するので、利用者に対し、ノイズを抑制した高品質の放送を提供することができる。
【実施例３】
【０１０７】
次に、更に他の実施例について図５及び図６を参照して説明する。 
図５は、本実施例の受信装置１の構成を表したブロック図であり、図１、図２及び図４と同一又は相当する部分を同一符号で示している。
【０１０８】
この受信装置１の特徴を図４に示した受信装置１と対比して説明すると、図４に示した受信装置１では、受信状態検出部３がＳメータ信号Ｓmに混入しているノイズ成分に基づいて受信状態検出信号Ｓnzを生成するのに対し、図５に示す本実施例の受信装置１に設けられている受信状態検出部３は、Ｓメータ信号Ｓmの直流成分をローパスフィルタ３ｄで抽出して増幅回路３ｅで増幅することにより、受信状態検出信号Ｓnzを生成するようになっている。
【０１０９】
ここで、本実施例の受信状態検出部３に設けられているローパスフィルタ３ｄは、良好な受信状態のときに中間周波増幅器２ｃから出力されるＳメータ信号Ｓmの周波数帯域の上限に合わせられた高域カットオフ周波数ｆcを有している。このため、受信状態が良好な場合、別言すれば受信感度が高い場合ほど、ローパスフィルタ３ｄからレベルの大きな信号が出力され、増幅回路３ｅからもレベルの大きな受信状態検出信号Ｓnzが出力され、一方、受信状態が良好でない場合、別言すれば受信感度が低い場合ほど、ローパスフィルタ３ｄからレベルの小さな信号が出力され、増幅回路３ｅからもレベルの小さな受信状態検出信号Ｓnzが出力される。
【０１１０】
更に、図４に示した受信装置１では、ノイズ低減部７に設けられている周波数制御部７ｂが、読取部６から供給される受信状態検出信号Ｓnzrの振幅が大きい場合ほど受信状態が良好でないとして、図３（ａ）（ｂ）に例示したように、可変ローパスフィルタ７ａの高域カットオフ周波数ｆuを低周波数側へ変化させ、受信状態検出信号Ｓnzrの振幅が小さい場合ほど、受信状態が良好であるとして、可変ローパスフィルタ７ａの高域カットオフ周波数ｆuを高周波数側へ変化させるようになっている。
【０１１１】
これに対し、図５に示す本実施例の周波数制御部７ｂは、図６（ａ）（ｂ）に模式的に示すように、読取部６から供給される受信状態検出信号Ｓnzrの振幅が大きい場合ほど受信状態が良好であるとして、可変ローパスフィルタ７ａの高域カットオフ周波数ｆuを高周波数側へ変化させ、受信状態検出信号Ｓnzrの振幅が小さい場合ほど、受信状態が良好でないとして、可変ローパスフィルタ７ａの高域カットオフ周波数ｆuを低周波数側へ変化させるようになっている。
【０１１２】
そして、周波数制御部７ｂには、図６（ａ）に例示するように、受信状態検出信号Ｓnzrの振幅と高域カットオフ周波数ｆuとが対応付けられた、いわゆるルックアップテーブル形式のデータを記憶したメモリが設けられており、受信状態検出信号Ｓnzrの振幅に基づいて該メモリのデータを検索することで、高域カットオフ周波数ｆuを決定する。
【０１１３】
なお、本実施例の受信装置１に設けられている、残余のチューナ部２と書込部４と記録再生装置５、読取部６、制御部８、ノイズ低減部７、出力回路９及び操作部１０については、図４に示した受信装置１と同様の構成及び機能を有している。
【０１１４】
本実施例の受信装置１によれば、前述した実施例１及び実施例２の受信装置１と同様に、利用者が操作部１０を操作することにより、＜記録動作＞と＜再生動作＞と＜記録再生同時動作＞を適宜指定することができるようになっている。
【０１１５】
そして、利用者が＜記録動作＞を指定すると、チューナ部２が同調及び検波等を行って再生信号Ｓauを出力し、受信状態検出部３がＳメータ信号Ｓmの直流成分を抽出して受信状態検出信号Ｓnzを生成し、更に、書込部４が再生信号Ｓauと受信状態検出信号Ｓnzとを同期させた記録信号Ｓwを生成して、記録再生装置５に記録させていく。
【０１１６】
また、利用者が、付加時間を指定して＜再生動作＞を指定すると、記録再生装置５が、付加時間によって指定される読取信号Ｓrを出力するとともに、読取部６が読取信号Ｓrを再生信号Ｓaurと受信状態検出信号Ｓnzrに同期分離して出力し、更に、ノイズ低減部７の周波数制御部７ｂが受信状態検出信号Ｓnzrの変化に応じて可変ローパスフィルタ７ａの高域カットオフ周波数ｆuを制御することで、再生信号Ｓaurに混入しているノイズ成分を除去させ、ノイズを抑制した出力用再生信号Ｓoをスピーカ等に供給させる。
【０１１７】
また、利用者が、付加時間を指定して＜記録再生同時動作＞を指定すると、書込部４が受信中の放送を記録信号Ｓwとして記録再生装置５に記録させながら、記録再生装置５が付加時間によって指定された既に記録されている読取信号Ｓrを読取部６を介して出力し、更に、ノイズ低減部７の可変ローパスフィルタ７ａと周波数制御部７ｂが、再生信号Ｓaurに混入しているノイズ成分を受信状態検出信号Ｓaurの変化に応じて除去することにより、ノイズを抑制した出力用再生信号Ｓoをスピーカ等に供給させる。
【０１１８】
また、利用者が、付加時間を指定することなく、＜記録再生同時動作＞を指定すると、書込部４が受信中の放送を記録信号Ｓwとして記録再生装置５に記録させながら、記録再生装置５が同時読み取りを行うことによって、読取信号Ｓrを読取部６を介して出力し、更に、ノイズ低減部７の可変ローパスフィルタ７ａと周波数制御部７ｂが、再生信号Ｓaurに混入しているノイズ成分を受信状態検出信号Ｓaurの変化に応じて除去することにより、ノイズを抑制した出力用再生信号Ｓoをスピーカ等に供給させる。
【０１１９】
このように、本実施例の受信装置１によれば、受信中の放送を記録再生装置５に記録する際、Ｓメータ信号Ｓmの直流成分に基づいて生成した受信状態を示す受信状態検出信号Ｓnzと、再生信号Ｓauとから成る記録信号Ｓwとして記録しておき、記録再生装置５に記録されている放送を再生する際、読取信号Ｓrに含まれている受信状態検出信号Ｓnzrを利用して、再生信号Ｓaurに混入しているノイズ成分を除去するので、利用者に対し、ノイズを抑制した高品質の放送を提供することができる。
【０１２０】
なお、以上に説明した実施形態及び実施例の受信装置１は、受信した放送波をアナログ信号処理することによって検波信号ＳdetとＳメータ信号Ｓm及び再生信号Ｓauを生成する構成としたものであるが、デジタル信号処理を行うデジタル回路で構成するようにしてもよい。また、実施形態及び実施例の受信装置１は、デジタル放送を受信する受信装置にも適用可能である。
【図面の簡単な説明】
【０１２１】
【図１】本発明の実施形態に係る受信装置の構成を表したブロック図である。
【図２】実施例に係る受信装置の構成を表したブロック図である。
【図３】図２に示した受信装置の機能及び動作を説明するための図である。
【図４】更に他の実施例に係る受信装置の構成を表したブロック図である。
【図５】更に他の実施例に係る受信装置の構成を表したブロック図である。
【図６】図５に示した受信装置の機能及び動作を説明するための図である。
【符号の説明】
【０１２２】
１…受信装置
２…チューナ部
３…受信状態検出部
４…書込部
５…記録再生装置
６…読取部
７…ノイズ低減部
【国際調査報告】
2005117276.tif 000008
2005117276.tif 000009
2005117276.tif 000010
2005117276.tif 000011